(57)【要約】カレンダスケジュールデータ（１０６）は、予定を示す。関連付けデータ（１０８）の第１の関連付けデータは、予定に連動して実行する電気機器に対する制御のスケジュールである制御スケジュールを決定するための規則である第１の連動規則を特定するためのデータである。連動規則定義データ（１０９）に含まれる第１の連動規則定義データは、第１の連動規則を定義する。制御スケジュール決定部（１１６）は、カレンダスケジュールデータ（１０６）と第１の関連付けデータと第１の連動規則定義データとに基づいて、制御スケジュールを決定する。機器制御部（１１８）は、制御スケジュールに従って、電気機器を制御する。
2015075825.tif 000002
【特許請求の範囲】
【請求項１】
予定を示すカレンダスケジュールデータを取得するユーザスケジュール取得手段と、
前記予定に連動して実行する電気機器に対する制御のスケジュールである制御スケジュールを決定するための規則である第１の連動規則を特定するための第１の関連付けデータを記憶する関連付け記憶手段と、
前記第１の連動規則を定義する第１の連動規則定義データを記憶する連動規則定義記憶手段と、
前記カレンダスケジュールデータと前記第１の関連付けデータと前記第１の連動規則定義データとに基づいて、前記制御スケジュールを決定する制御スケジュール決定手段と、
前記制御スケジュール決定手段により決定された前記制御スケジュールに従って、前記電気機器を制御する機器制御手段とを備える電気機器管理装置。
【請求項２】
前記第１の連動規則は、前記予定に連動して当該予定の始期及び終期以外に実行する電気機器に対する制御のスケジュールを前記制御スケジュールとして決定するための規則である
請求項１に記載の電気機器管理装置。
【請求項３】
前記第１の連動規則を選定するための関連付け設定画面を表示する表示手段と、
前記関連付け設定画面が前記表示手段に表示された場合に、前記第１の連動規則を選定するための入力を受け付ける入力手段と、
前記入力手段への入力により前記第１の連動規則が選定された場合に、当該選定された第１の連動規則を特定する前記第１の関連付けデータを前記関連付け記憶手段に記憶させる関連付け設定手段とをさらに備える
請求項１又は２に記載の電気機器管理装置。
【請求項４】
前記関連付け記憶手段は、前記予定に連動して当該予定の始期又は終期に実行する電気機器に対する制御のスケジュールを前記制御スケジュールとして決定するための規則である第２の連動規則が、前記始期及び前記終期のいずれに関するものであるかを示す第２の関連付けデータをさらに記憶し、
前記連動規則定義記憶手段は、前記第２の連動規則の制御対象機器と制御内容とを定義する第２の連動規則定義データをさらに記憶し、
前記制御スケジュール決定手段は、前記カレンダスケジュールデータと前記第２の関連付けデータと前記第２の連動規則定義データとに基づいて、前記制御スケジュールをさらに決定する
請求項１又は２に記載の電気機器管理装置。
【請求項５】
前記第２の連動規則が前記始期及び前記終期のいずれに関するものかを選定するための関連付け設定画面を表示する表示手段と、
前記関連付け設定画面が前記表示手段に表示された場合に、前記第２の連動規則が前記始期及び前記終期のいずれに関するものかを選定するための入力を受け付ける入力手段と、
前記入力手段への入力により前記第２の連動規則が前記始期及び前記終期のいずれに関するものかが選定された場合に、前記第２の連動規則が前記選定された前記始期又は前記終期に関するものであることを示す前記第２の関連付けデータを前記関連付け記憶手段に記憶させる関連付け設定手段をさらに備える
請求項４に記載の電気機器管理装置。
【請求項６】
前記第２の連動規則の前記制御対象機器と前記制御内容とを選定するための連動規則定義画面を表示する表示手段と、
前記連動規則定義画面が前記表示手段に表示された場合に、前記第２の連動規則の前記制御対象機器と前記制御内容とを選定するための入力を受け付ける入力手段と、
前記入力手段への入力により前記第２の連動規則の前記制御対象機器と前記制御内容とが選定された場合に、前記第２の連動規則の前記制御対象機器と前記制御内容とが、前記選定された制御対象機器と制御内容であると定義する前記第２の連動規則定義データを前記連動規則定義記憶手段に記憶させる連動規則定義手段をさらに備える
請求項４に記載の電気機器管理装置。
【請求項７】
前記カレンダスケジュールデータが示す予定と、前記第１の連動規則に基づく制御を実行する日及び制御内容と、前記第２の連動規則に基づく制御を実行する日時及び当該第２の連動規則を特定するための情報とを、カレンダに関連付けたカレンダ画面を表示する表示手段をさらに備える
請求項４に記載の電気機器管理装置。
【請求項８】
管理対象領域内に設定される区画を利用するユーザを示す区画データを記憶する区画記憶手段をさらに備え、
前記カレンダスケジュールデータは、前記予定に関連するユーザをさらに含み、
前記第２の連動規則定義データは、前記第２の連動規則を適用する条件として、前記区画を利用するユーザと前記予定に関連するユーザとの関係を定めたものをさらに含み、
前記制御スケジュール決定手段は、前記カレンダデータと区画データとのそれぞれに含まれるユーザが、前記第２の連動規則定義データに含まれる条件を満たす場合に、前記カレンダスケジュールデータと前記第２の関連付けデータと前記第２の連動規則定義データとに基づいて、前記制御スケジュールを決定する
請求項４から７のいずれか１項に記載の電気機器管理装置。
【請求項９】
管理対象領域内に設定される区画を利用するユーザを示す区画データを記憶する区画記憶手段をさらに備え、
前記カレンダスケジュールデータは、前記予定に関連するユーザをさらに含み、
前記第１の連動規則定義データは、前記第１の連動規則を適用する条件として、前記区画を利用するユーザと前記予定に関連するユーザとの関係を定めたものをさらに含み、
前記制御スケジュール決定手段は、前記カレンダデータと区画データとのそれぞれに含まれるユーザが、前記第２の連動規則定義データに含まれる条件を満たす場合に、前記カレンダスケジュールデータと前記第１の関連付けデータと前記第１の連動規則定義データとに基づいて、前記制御スケジュールを決定する
請求項１から７のいずれか１項に記載の電気機器管理装置。
【請求項１０】
前記制御スケジュール決定手段により決定された前記制御スケジュールに従って、前記電気機器が制御される前に、ユーザへ通知する通知手段をさらに備える
請求項１から９のいずれか１項に記載の電気機器管理装置。
【請求項１１】
ユーザ入力に基づいて前記カレンダスケジュールデータを生成して送信する端末装置と、
請求項１から１０のいずれか１項に記載の電気機器管理装置と、
前記端末装置と前記電気機器管理装置とのそれぞれに通信回線を介して接続されるサーバ装置とを備え、
前記サーバ装置は、
前記端末装置と前記電気機器管理装置とを対応付ける管理データが格納される管理記憶手段と、
前記カレンダスケジュールデータが格納されるカレンダスケジュール記憶手段と、
前記端末装置から送信される前記カレンダスケジュールデータを受信し、前記受信したカレンダスケジュールデータによりカレンダスケジュール記憶手段を更新するとともに、前記受信したカレンダスケジュールデータを前記電気機器管理装置へ転送する同期手段とを備え、
前記ユーザスケジュール取得手段は、前記通信回線を介して、前記同期手段から前記カレンダスケジュールデータを取得する電気機器管理システム。
【請求項１２】
請求項１から１０のいずれか１項に記載された、複数の電気機器管理装置と、
前記電気機器管理装置とのそれぞれに通信回線を介して接続されるサーバ装置とを備え、
前記サーバ装置は、
前記電気機器管理装置のそれぞれの、前記通信回線におけるアドレスを含む管理データが格納される管理記憶手段と、
前記電気機器管理装置のユーザごとの、前記カレンダスケジュールデータが格納されるカレンダスケジュール記憶手段と、
前記電気機器管理装置のユーザごとの前記カレンダスケジュールデータにより示される予定が予め定められた関係にある場合に、前記電気機器管理装置のそれぞれが管理する機器を制御するための制御信号を生成して、前記電気機器管理装置のそれぞれの前記アドレスへ送信する機器管理手段とを備え、
前記機器制御手段のそれぞれは、前記機器管理手段から送信された前記制御信号を受信し、前記制御信号に従って前記機器を制御する電気機器管理システム。
【請求項１３】
予定を示すカレンダスケジュールデータを取得するユーザスケジュール取得手段と、
前記予定に連動して実行する電気機器に対する制御のスケジュールである制御スケジュールを決定するための規則である第１の連動規則を特定するための第１の関連付けデータを記憶する関連付け記憶手段と、
前記第１の連動規則を定義する第１の連動規則定義データを記憶する連動規則定義記憶手段と、
前記カレンダスケジュールデータと前記第１の関連付けデータと前記第１の連動規則定義データとに基づいて、前記制御スケジュールを決定する制御スケジュール決定手段と、
前記制御スケジュール決定手段により決定された前記制御スケジュールに従って、前記電気機器を制御する機器制御手段とを備える電気機器。
【請求項１４】
予定を示すカレンダスケジュールデータを取得するユーザスケジュール取得手段と、
前記予定に連動して実行する電気機器に対する制御のスケジュールである制御スケジュールを決定するための規則である第１の連動規則を特定するための第１の関連付けデータを記憶する関連付け記憶手段と、
前記第１の連動規則を定義する第１の連動規則定義データを記憶する連動規則定義記憶手段と、
前記カレンダスケジュールデータと前記第１の関連付けデータと前記第１の連動規則定義データとに基づいて、前記制御スケジュールを決定する制御スケジュール決定手段と、
前記制御スケジュール決定手段により決定された前記制御スケジュールに従って、前記電気機器を制御する機器制御手段とを備える端末装置。
【請求項１５】
前記予定に連動して実行する電気機器に対する制御のスケジュールである制御スケジュールを決定するための規則である第１の連動規則を特定するための第１の関連付けデータと、
前記第１の連動規則を定義する第１の連動規則定義データとを記憶する記憶手段を備えるコンピュータを、
予定を示すカレンダスケジュールデータを取得するユーザスケジュール取得手段、
前記カレンダスケジュールデータと前記第１の関連付けデータと前記第１の連動規則定義データとに基づいて、前記制御スケジュールを決定する制御スケジュール決定手段、
前記制御スケジュール決定手段により決定された前記制御スケジュールに従って、前記電気機器を制御する機器制御手段、として機能させるためのプログラム。
【発明の詳細な説明】
【技術分野】
【０００１】
本発明は、電気機器管理装置、電気機器管理システム、電気機器、端末装置及びプログラムに関する。
【背景技術】
【０００２】
住宅における消費電力の抑制などを目的とするシステムとしてＨＥＭＳ(Home Energy Management System)がある。一般的に、ＨＥＭＳは、住宅における電力の消費量データなどを収集保持し、住宅に設置された電気機器を管理する電気機器管理装置を備える。例えば特許文献１に記載の技術を電気機器管理装置に適用すれば、電力の消費実績値が消費目標量以下であるか否かの評価結果をカレンダに表示して、ユーザの省エネルギへの意識付けを行うことができる。
【先行技術文献】
【特許文献】
【０００３】
【特許文献１】特許第４６８４１９５号公報
【発明の概要】
【発明が解決しようとする課題】
【０００４】
しかしながら、省エネルギを図りつつ、ユーザの快適性を維持するには、例えば帰宅の予定時刻に合わせて電気機器にタイマ設定するなど、ユーザが電気機器を操作する手間が掛かる。また、ユーザが省エネルギを意識していても、例えば外出時の電灯、空調機の消し忘れなど、電気機器の操作を忘れることはあり得る。【０００５】
本発明は、上述の事情に鑑みてなされたもので、ユーザが意識的に電気機器を操作しなくても、ユーザが所望する快適性を維持しつつエネルギの消費量を抑制することが可能な機器管理装置などを提供することを目的とする。
【課題を解決するための手段】
【０００６】
上記目的を達成するため、本発明に係る電気機器管理装置は、
予定を示すカレンダスケジュールデータを取得するユーザスケジュール取得手段と、
前記予定に連動して実行する電気機器に対する制御のスケジュールである制御スケジュールを決定するための規則である第１の連動規則を特定するための第１の関連付けデータを記憶する関連付け記憶手段と、
前記第１の連動規則を定義する第１の連動規則定義データを記憶する連動規則定義記憶手段と、
前記カレンダスケジュールデータと前記第１の関連付けデータと前記第１の連動規則定義データとに基づいて、前記制御スケジュールを決定する制御スケジュール決定手段と、
前記制御スケジュール決定手段により決定された前記制御スケジュールに従って、前記電気機器を制御する機器制御手段とを備える。
【発明の効果】
【０００７】
本発明によれば、ユーザが意識的に電気機器を操作しなくても、ユーザが所望する快適性を維持しつつエネルギの消費量を抑制することが可能になる。
【図面の簡単な説明】
【０００８】
【図１】本発明の実施の形態１に係る電気機器管理システムの構成を示す図である。
【図２】実施の形態１に係る電気機器管理装置の構成を示す図である。
【図３Ａ】制御スケジュールデータの一例を示す図である。
【図３Ｂ】制御スケジュールデータの一例を示す図である。
【図４】電気機器管理装置が保持するカレンダスケジュールデータの一例を示す図である。
【図５Ａ】関連付けデータの一例を示す図である。
【図５Ｂ】関連付けデータの一例を示す図である。
【図６Ａ】連動規則定義データの一例を示す図である。
【図６Ｂ】連動規則定義データの一例を示す図である。
【図７】区画データの一例を示す図である。
【図８】実施の形態１に係るユーザスケジュール登録処理の流れを示すフローチャートである。
【図９Ａ】実施の形態１に係る連動制御処理の流れを示すフローチャートである。
【図９Ｂ】実施の形態１に係る連動制御処理の流れを示すフローチャートである。
【図１０】カレンダ画面の一例を示す図である。
【図１１】関連付け設定画面の一例を示す図である。
【図１２】連動規則定義画面の一例を示す図である。
【図１３】本発明の実施の形態２に係る電気機器管理システムの構成を示す図である。
【図１４】実施の形態２に係るサーバ装置が保持するカレンダスケジュールデータを示す図である。
【図１５】実施の形態２に係る管理データの一例を示す図である。
【図１６】実施の形態２に係る電気機器管理装置の構成を示す図である。
【図１７】本発明の実施の形態３に係る電気機器管理システムの構成を示す図である。
【図１８】実施の形態３に係るサーバ装置が保持するカレンダスケジュールデータの一例を示す図である。
【図１９】実施の形態３に係る管理データの一例を示す図である。
【図２０】実施の形態３に係る電気機器管理装置の構成を示す図である。
【発明を実施するための形態】
【０００９】
以下、本発明の実施形態について、図面を参照しつつ説明する。全図を通じて同一の要素には同一の符号を付す。
【００１０】
実施の形態１．
本発明の実施の形態１に係る電気機器管理システム１００は、図１に示すように、住宅Ａの各部屋（例えば、寝室、書斎、子供部屋、リビング、キッチン）などに設置される電気機器１０１（照明機器１０１ａ＿１〜５、空調機１０１ｂ＿１〜４、ＩＨＣＨ（ＩＨクッキングヒータ）１０１ｃ＿５、冷蔵庫１０１ｄ＿５、給湯システム１０１ｅ）と、電気機器管理装置１０２とから構成される。電気機器管理装置１０２は、有線、無線又はこれらを組み合わせて構成される宅内ネットワークを介して電気機器１０１の各々と通信し、これによって、管理対象領域としての住宅Ａに設置された電気機器１０１を管理する。また、電気機器管理装置１０２は、端末装置１０３と有線、無線又はこれらを組み合わせて通信接続されており、電気機器１０１の管理に関わる指示、情報などを端末装置１０３との間で送受信する。
【００１１】
端末装置１０３は、例えば多機能携帯電話（いわゆる、スマートフォン）、タブレット型のコンピュータである。端末装置１０３には、例えば、ソフトウェアプログラム（プログラム）がインストールされ、そのプログラムを実行することによって、端末装置１０３は、電気機器１０１の管理に関わる指示、情報などを作成する機能、電気機器管理装置１０２へ送信するための機能などを実現する。
【００１２】
電気機器管理装置１０２は、住宅Ａに住む世帯の構成員（ユーザ）により予定が入力されると、その予定に連動して電気機器１０１の制御スケジュールを決定し、その制御スケジュールに従って電気機器１０１を制御し動作させる。本実施の形態では、住宅Ａの世帯が、父、母、子の３人で構成される例により説明する。
【００１３】
なお、住宅Ａに住む世帯の構成員が１人である場合などには、これから説明する処理においてユーザは考慮されなくてもよい。また、住宅Ａでペットを飼っており、電気機器管理装置１０２が保持するデータに、犬、猫などのペットが登録されていれば、ペットをユーザに含めてもよい。
【００１４】
電気機器管理装置１０２は、機能的には、図２に示すように、各種データを記憶する記憶部１０４と、画像、文字などを含む画面を表示する表示部１１１と、ユーザによる入力を受け付ける入力部１１２と、各種処理・制御を行う各処理部１１３〜１２２と、を備える。
【００１５】
なお、記憶部１０４は、例えばフラッシュメモリ、ＨＤＤ(Hard Disc Drive)などから構成される。表示部１１１は、例えば、液晶ディスプレイなどから構成される。入力部１１２は、例えばタッチパネル、ボタンなどから構成される。各処理部１１３〜１２０は、例えばＲＯＭ（Read Only Memory）に予め格納されたソフトウェアプログラムを、ＲＡＭ（Random Access Memory）を作業領域として動作するプロセッサにより実現される。
【００１６】
以下、記憶部１０４が記憶する各種データ１０５〜１１０について説明する。
【００１７】
制御スケジュールデータ１０５は、電気機器管理装置１０２がユーザの予定に連動して電気機器１０１を動作させるために実行する電気機器１０１に対する制御に関するスケジュール（制御スケジュール）を含むデータである。図３Ａ及び３Ｂに例示する制御スケジュールデータ１０５は、制御スケジュールＩＤ（Identification Data）と、制御対象機器と、制御内容と、制御日時と、設定方法とが関連付けられた制御スケジュールを含む。
【００１８】
制御スケジュールＩＤは、制御スケジュールデータ１０５の各々を特定するための情報である。制御対象機器は、電気機器管理装置１０２による制御の対象となる電気機器１０１を特定するための情報である。制御内容は、関連付けられた制御対象機器に対する制御の内容を示す情報である。制御日時は、関連付けられた制御対象機器及び制御内容に応じた制御を実行する日時を示す情報である。設定方法は、制御スケジュールデータ１０５の各々が、入力部１１２へのユーザ入力に基づいて手動で個別に設定されたのか、ユーザにより入力された予定に連動して自動で設定されたのかを示す情報である。
【００１９】
予定に連動して設定された制御スケジュールデータ１０５の設定方法は、連動元となったユーザの予定を特定するための情報と、連動規則を特定するための連動規則ＩＤとを示す。これにより、連動した予定が変更又は削除された場合に、それと連動して制御スケジュールデータ１０５を変更又は削除することができる。
【００２０】
ここで、連動規則とは、ユーザの予定と連動して制御スケジュールを決定するための規則である。連動規則は、典型的には、１つ又は複数の電気機器１０１を制御対象機器とする複数の制御スケジュールを、ユーザの予定と連動してまとめて決定するための規則である。ただし、連動規則は、１つの制御スケジュールのみがユーザの予定と連動して決定するものであってもよい。
【００２１】
本実施の形態に係る連動規則には、第１の連動規則と、第２の連動規則とがある。
【００２２】
第１の連動規則は、ユーザの快適性の向上、省エネルギなどのために、その予定の始期及び終期以外に（すなわち、ユーザの予定の始期に先立って、又は、その始期と終期との間に）、実行する制御対象機器に対する制御のスケジュールを決定するための規則である。
【００２３】
なお、第１の連動規則は、ユーザの予定に連動して制御スケジュールを決定するための規則であればよく、例えば予定の始期及び終期に実行する制御対象機器に対する制御のスケジュールを決定するものであってもよい。
【００２４】
第１の連動規則ＩＤは、第１の連動規則を特定するための情報である。図３Ａ及び３Ｂに示す例では、給湯システム制御と来客が第１の連動規則ＩＤに含まれる。また、第１の連動規則ＩＤには、予冷・予暖が含まれる。
【００２５】
給湯システム制御では、図３Ａ及び３Ｂに示すように、給湯システム１０１ｅを制御対象機器として、沸き上げの停止、その停止の解除（沸き上げの再開）、沸き上げ量の増加又は減少を制御内容とする制御スケジュールが決定される。来客では、冷蔵庫１０１ｄ＿５を制御対象機器として、製氷の加速を制御内容とする制御スケジュールが決定される。予冷・予暖では、例えば、空調機１０１ｂ＿１〜４のいずれかを制御対象機器として、予冷又は予暖を制御内容とする制御スケジュールが決定される。
【００２６】
なお、図示しないが、第１の連動規則ＩＤは、バッテリ充電などを含んでもよい。バッテリ充電では、例えば、電気自動車（図示せず）を制御対象として、電気自動車に搭載された蓄電池の充電を制御内容とする制御スケジュールが決定されるとよい。
【００２７】
第２の連動規則は、ユーザの予定に連動してその予定の始期又は終期に実行する制御対象機器に対する制御のスケジュールを決定するための規則である。
【００２８】
第２の連動規則ＩＤは、第２の連動規則を特定するための情報であって、図３Ａ及び３Ｂに示す例では、外出、帰宅が第２の連動規則ＩＤに含まれる。外出は、ユーザが宅内から外へ出かける時に実行される制御対象機器に対する制御をまとめたものである。帰宅は、ユーザが宅外から家に戻った時に実行される制御対象機器に対する制御をまとめたものである。
【００２９】
本実施の形態に係る制御スケジュールデータ１０５は、例えば、図３Ａ及び３Ｂの制御スケジュールＩＤが１１、１２などのように、電気機器管理装置１０２が特定の制御を実行することをユーザへ知らせるためのメールを送信するスケジュールも含む。
【００３０】
カレンダスケジュールデータ１０６は、ユーザの予定に対応するデータと、制御スケジュールのうち、特定のものに対応するデータとを含む。図４に例示するカレンダスケジュールデータ１０６では、カレンダＩＤと、主体と、予定の種類と、予定タイトルと、始期及び終期の一方又は両方からなる時期とが関連付けられている。
【００３１】
カレンダＩＤは、カレンダスケジュールデータ１０６の各々を特定するための情報である。
【００３２】
主体は、ユーザの予定又は制御スケジュールに関係する主体を示す情報である。ユーザの予定に対応するカレンダスケジュールデータ１０６では、主体は、ユーザ（全員、父、母、子）である。制御スケジュールに対応するカレンダスケジュールデータ１０６では、主体は、装置（電気機器管理装置１０２）である。
【００３３】
予定の種類は、ユーザの予定に対応するものについては、その予定に応じて設定される情報であって、予定種別の一例である。制御スケジュールに対応するカレンダスケジュールデータ１０６についての予定の種類は、詳細後述するように、制御の内容又は第２の連動規則ＩＤである。
【００３４】
予定タイトルは、予定に付与される名称を示す情報であって、予め定められたものであってもよく、適宜作成されるものであってもよい。
【００３５】
なお、主体、予定の種類及び予定タイトルは、例えば、予定タイトルが定まると、主体及び予定の種類が定まる関係にある。すなわち、新たな予定タイトルが作成されると、それに主体と予定の種類が関連付けられる。これらの関係は、図示しないデータとして記憶部１０４に格納されるとよい。また、このような予定タイトルが、本実施の形態の予定の種類に代わる予定種別として採用されてもよい。このような予定タイトルは、本実施の形態にてカレンダスケジュールデータ１０６及び関連付けデータ１０８を関連付ける予定の種類及び主体に代わる予定種別として採用されてもよい。
【００３６】
始期及び終期は、それぞれ、開始予定日時及び終了予定日時を示す情報である。
【００３７】
連動制御規則データ１０７は、ユーザの予定に連動して制御スケジュールを決定するための規則を示すデータであって、図２に示すように、関連付けデータ１０８と、連動規則定義データ１０９と、区画データ１１０とから構成される。
【００３８】
関連付けデータ１０８は、ユーザの予定に対応するカレンダスケジュールデータ１０６と連動規則定義データ１０９とを関連付けるためのデータである。関連付けデータ１０８は、第１の連動規則に関する第１の関連付けデータ１０８ａと、第２の連動規則に関する第２の関連付けデータ１０８ｂとを含み、いずれも、予定の種類及びユーザによりカレンダスケジュールデータ１０６と関連付けられる。
【００３９】
本実施の形態に係る関連付けデータ１０８の例を図５Ａ及び５Ｂに示す。第１の関連付けデータ１０８ａは、ユーザの予定に連動する第１の連動規則を特定するためのデータであって、予定の種類と、ユーザと、第１の連動規則ＩＤと、採否フラグと、増減人数とを関連付ける。第２の関連付けデータ１０８ｂは、第２の連動規則が、ユーザの予定の始期及び終期のいずれに関するものであるかを示すデータであって、予定の種類と、ユーザと、第２の連動規則ＩＤと、タイミングと、通知と、表示とを関連付ける。
【００４０】
予定の種類は、カレンダスケジュールデータ１０６に含まれる予定の種類と同様の情報である。ユーザは、ユーザの予定に対応するカレンダスケジュールデータ１０６に含まれる主体と同様の情報である。第１の連動規則ＩＤ及び第２の連動規則ＩＤのそれぞれは、上述の内容を示す。
【００４１】
採否フラグは、それが関連付けられた第１の連動規則ＩＤにより特定される第１の連動規則を採用するか否かを示す採否データの一例であって、すなわち、その第１の連動規則の採否を示すフラグである。図５Ａに示す例では、「１」は採用を表し、「０」は不採用を表す。同図に例示する関連付けデータ１０８ａは、「予定の種類」が「外出（連泊）」であり、かつ、「ユーザ」が「全員」である場合、「予定の種類」が「来客」であり、かつ、「ユーザ」が「母」である場合、「予定の種類」が「外出（１泊）」であり、かつ、「ユーザ」が「父」である場合、「第１の連動規則ＩＤ」が「給湯システム制御」である第１の連動規則を採用することを示す。
【００４２】
増減人数は、給湯システム１０１ｅが沸き上げる湯量をどれだけ増減させるかを表す情報であって、本実施の形態では、人数で増減させる量を示す。同図に例示する関連付けデータ１０８ａは、「予定の種類」が「外出（１泊）」であり、かつ、「ユーザ」が「父」である場合に採用される連動規則では、「増減人数」が「−１」であること、すなわち、沸き上げる湯量を１人分減少させることを示す。
【００４３】
タイミングは、始期又は終期を示す情報である。
【００４４】
通知は、予定の種類及びユーザに関連付けられる第２の連動規則ＩＤごとに、その第２の連動規則に基づく制御を実行する旨の通知をユーザへするか否か、通知をする場合には、いつ誰にどのような方法で通知するかの少なくとも１つを定める情報である。本実施の形態に係る通知は、いつ誰に通知するかを定めており、通知する方法は、予め定められた方法、例えば、設定されたユーザの端末装置１０３へメールを送信することで行われる。
【００４５】
例えば、図５Ｂに示す「１０分前（全員）」は、それが第２の関連付けデータ１０８ｂにて関連付けられた第２の連動規則ＩＤである第２の連動規則に基づく制御を実行するタイミングの１０分前に、第２の関連付けデータ１０８ｂにて関連付けられたユーザの全員へ送信することを表す。なお、通知のタイミングには、例えば、その制御を実行する時が設定されてもよく、その制御を実行した後の時間が設定されてもよい。
【００４６】
表示は、予定の種類及び主体に関連付けられる第２の連動規則ＩＤごとに、その第２の連動規則に基づく制御が実行される旨を、例えば後述するカレンダ画面１２３（図１０参照）に含めて表示部１１１に表示するか否かを定める情報である。
【００４７】
連動規則定義データ１０９は、連動規則を定義するデータであって、図６Ａ及び図６Ｂのそれぞれに示すように、第１の連動規則に関する第１の連動規則定義データ１０９ａと、第２の連動規則に関する第２の連動規則定義データ１０９ｂとを含む。
【００４８】
図６Ａに示すように、第１の連動規則定義データ１０９ａは、第１の連動規則を定義するデータであって、第１の連動規則ＩＤと、第１の連動規則に基づく制御の対象となる区画と、制御対象機器及び制御内容を含む第１の連動規則と、制御条件とを関連付ける。図６Ｂに示すように、第２の連動規則定義データ１０９ｂは、第２の連動規則を定義するデータであって、第２の連動規則ＩＤと、第２の連動規則に基づく制御の対象となる区画と、制御対象機器及び制御内容を含む第２の連動規則と、制御条件とを関連付ける。
【００４９】
第１の連動規則ＩＤ及び第２の連動規則ＩＤのそれぞれは、上述の内容を示す情報である。区画は、電気機器管理装置１０２の制御対象領域である住宅Ａを分割した領域である部屋を特定するための情報である。
【００５０】
制御対象機器は、制御スケジュールによる制御の対象となる電気機器１０１であって、関連付けられた区画に設置されているものである。
【００５１】
詳細には、第１の連動規則に含まれる制御対象機器は、第１の連動規則に基づく制御スケジュールによる制御の対象となる電気機器１０１であって、第１の連動規則定義データ１０９ａにおいて関連付けられた区画に設置されているものである。
【００５２】
第２の連動規則に含まれる制御対象機器は、同様に、第２の連動規則に基づく制御スケジュールによる制御の対象となる電気機器１０１であって、第２の連動規則定義データ１０９ｂにおいて関連付けられた区画に設置されているものである。
【００５３】
制御内容は、関連付けられた制御対象機器に対して実行する制御の内容を示す情報である。
【００５４】
詳細には、第１の連動規則に含まれる制御内容は、制御スケジュールを決定するための規則を示す。この規則を適用することによって、ユーザの予定に応じて１つ又は複数の制御スケジュールが決定される。
【００５５】
「予定種別」が「外出（連泊）」の場合、始期当日から終期前日まで「沸き上げ停止」、終期当日に「沸き上げ停止解除」という「制御内容」を例により詳細に説明する。
【００５６】
ユーザの予定が家族全員での３日間の旅行である場合、この制御内容によれば、「制御対象機器」である「給湯システム」の沸き上げを、旅行の初日と２日目の０：００に停止する制御スケジュールが決定される。そして、旅行の３日目の０：００に沸き上げの停止が解除される。給湯システムは通常、沸き上げを毎日行うので、沸き上げの停止を解除することで、旅行の３日目以降は通常通り、給湯システムにより湯が沸き上げられる。
【００５７】
第２の連動規則に含まれる制御内容は、関連付けられた制御対象機器に対する特定の制御を示す。この規則を適用することによって、ユーザの予定に応じた１つの制御スケジュールが決定される。
【００５８】
「ＯＦＦ」という制御内容は、関連付けられた制御対象機器の動作を停止させる制御を実行することを示す。「ＯＮ」という制御内容は、関連付けられた制御対象機器の動作を開始させる制御を実行することを示す。
【００５９】
制御条件は、関連付けられた第１の連動規則又は第２の連動規則を適用する条件である。本実施の形態に係る制御条件は、区画を利用するユーザと、予定に関連するユーザとの関係により定められる。
【００６０】
例えば、同図に示す「全員」は、関連付けられた区画を利用するユーザのすべてが住宅Ａに不在である場合に、それに関連付けられた制御対象機器を制御内容に従って制御することを示す。「１人以上」は、関連付けられた区画を利用するユーザの少なくとも1人が在宅である場合に、それに関連付けられた制御対象機器を制御内容に従って制御することを示す。
【００６１】
区画データ１１０は、部屋を利用するユーザを示すデータであって、図７に示すように、区画としての部屋とユーザとを関連付けるものである。同図に示す区画データ１１０は、例えばリビングを利用するユーザが、父と母と子とであることなどを示す。
【００６２】
ここから、図２を参照する。
【００６３】
表示部１１１は、カレンダ画面１２３、関連付け設定画面１２４、連動規則定義画面１２５などの画面を表示する（図１０〜１２参照）。
【００６４】
カレンダ画面１２３は、ユーザの予定及び特定の制御スケジュールをカレンダに関連付けた画面である。詳細には、カレンダ画面１２３は、ユーザの予定と、第１の連動規則に基づく制御を実行する日及び制御内容と、第２の連動規則に基づく制御を実行する日時及び第２の連動規則を特定するための情報（例えば、第２の連動規則ＩＤ）とをカレンダに関連付けた画面である。関連付け設定画面１２４は、第１の関連付けデータ１０８ａ及び第２の関連付けデータ１０８ｂを設定するための画面である。詳細には、関連付け設定画面１２４は、第１の関連付けデータ１０８ａを設定するために、例えばユーザの予定に連動する第１の連動規則を選定するための画面である。関連付け設定画面１２４は、第２の関連付けデータ１０８ｂを設定するために、例えば第２の連動規則がユーザの予定の始期及び終期のいずれに関するものかを選定するための画面である。連動規則定義画面１２５は、第２の連動規則定義データ１０９ｂを設定するための画面である。詳細には、連動規則定義画面１２５は、例えば第２の連動規則の制御対象機器と制御内容とを選定するための画面である。
【００６５】
入力部１１２は、表示部１１１に表示される画面に応じてユーザが入力する情報（例えば、設定内容、処理の実行指示など）を受け付ける。詳細には、入力部１１２は、例えば、関連付け設定画面１２４が表示部１１１に表示された場合に、ユーザの予定に連動する第１の連動規則を選定するための入力、及び、第２の連動規則が、ユーザの予定の始期及び終期のいずれに関するものかを選定するための入力を受け付ける。入力部１１２は、例えば、連動規則定義画面１２５が表示部１１１に表示された場合に、例えば第２の連動規則の制御対象機器と制御内容とを選定するための入力を受け付ける。
【００６６】
ユーザスケジュール登録部１１３は、入力部１１２へのユーザの入力に基づいて、ユーザの予定を示すカレンダスケジュールデータ１０６を作成して記憶部１０４に格納する。
【００６７】
ユーザスケジュール取得部１１４は、記憶部１０４に格納されたカレンダスケジュールデータ１０６を監視する。そして、ユーザスケジュール登録部１１３によりカレンダスケジュールデータ１０６が変更された場合に、ユーザスケジュール取得部１１４は、そのカレンダスケジュールデータ１０６を記憶部１０４から取得する。なお、ユーザスケジュール取得部１１４は、ユーザスケジュール登録部１１３がカレンダスケジュールデータ１０６を作成した場合に、そのカレンダスケジュールデータ１０６を、記憶部１０４を介さずにユーザスケジュール登録部１１３から直接取得してもよい。
【００６８】
連動制御判断部１１５は、ユーザの予定が登録された場合に、そのユーザの予定が連動制御の対象であるか否かを判断する。詳細には、連動制御判断部１１５は、記憶部１０４に格納されたカレンダスケジュールデータ１０６が変更された場合に、そのカレンダスケジュールデータ１０６に対応するユーザの予定が連動制御の対象であるか否かを判断する。ユーザの予定が連動制御の対象であるか否かは、カレンダスケジュールデータ１０６に含まれる予定の種類及び主体の組み合わせが、関連付けデータ１０８に含まれるか否かに基づいて、判断される。
【００６９】
制御スケジュール決定部１１６は、登録されたユーザの予定が連動制御の対象である場合に、カレンダスケジュールデータ１０６と関連付けデータ１０８と連動規則定義データ１０９とに基づいて、ユーザの予定に応じた制御スケジュールを決定する。
【００７０】
詳細には、本実施の形態に係る制御スケジュール決定部１１６は、予定種別に基づいてカレンダスケジュールデータ１０６と第１の関連付けデータ１０８ａとを関連付ける。そして、この関連付けられた第１の関連付けデータ１０８ａに含まれる採否フラグが採用を示す場合に、制御スケジュール決定部１１６は、さらに、第１の連動規則ＩＤ及び区画に基づいて、第１の関連付けデータ１０８ａと第１の連動規則定義データ１０９ａと区画データ１１０とを関連付ける。制御スケジュール決定部１１６は、関連付けられたカレンダデータ１０６と区画データ１１０とのそれぞれに含まれるユーザが、関連付けられた第１の連動規則定義データ１０８ａに含まれる制御条件を満たすか否かを判断する。制御条件を満たす場合に、制御スケジュール決定部１１６は、予定種別及び第１の連動規則ＩＤにより関連付けられるカレンダスケジュールデータ１０６と第１の関連付けデータ１０８ａと第１の連動規則定義データ１０８ａとに基づいて、制御スケジュールを決定する。
【００７１】
また、制御スケジュール決定部１１６は、予定種別と第２の連動規則ＩＤと区画とに基づいて、カレンダスケジュールデータ１０６と第２の関連付けデータ１０８ｂと第２の連動規則定義データ１０９ｂと区画データとを関連付ける。制御スケジュール決定部１１６は、関連付けられたカレンダデータ１０６と区画データ１１０とのそれぞれに含まれるユーザが、関連付けられた第２の連動規則定義データ１０９ｂに含まれる制御条件を満たすか否かを判断する。制御条件を満たす場合に、制御スケジュール決定部１１６は、予定種別及び第２の連動規則ＩＤにより関連付けられるカレンダスケジュールデータ１０６と第２の関連付けデータ１０８ｂと第２の連動規則定義データ１０９ｂとに基づいて、制御スケジュールを決定する。
【００７２】
なお、制御条件について判断する必要がない場合もある。例えば、カレンダスケジュールデータ１０６に関連付けられた連動規則定義データ１０９に制御条件が含まれない場合である。また例えば、ユーザ、区画などが考慮されない場合である。
【００７３】
このような場合、制御スケジュール決定部１１６は、予定種別に基づいてカレンダスケジュールデータ１０６と第１の関連付けデータ１０８ａとを関連付けるとよい。そして、関連付けられた第１の関連付けデータ１０８ａに含まれる採否フラグが採用を示す場合に、制御スケジュール決定部１１６は、予定種別及び第１の連動規則ＩＤにより関連付けられるカレンダスケジュールデータ１０６と第１の関連付けデータ１０８ａと第１の連動規則定義データ１０９ａとに基づいて、制御スケジュールを決定するとよい。
【００７４】
また、制御条件について判断する必要がない場合、制御スケジュール決定部１１６は、さらに、予定種別及び第２の連動規則ＩＤにより関連付けられるカレンダスケジュールデータ１０６と第２の関連付けデータ１０８ｂと第２の連動規則定義データ１０９ｂとに基づいて、制御スケジュールを決定するとよい。
【００７５】
図２を参照する。
制御スケジュール設定部１１７は、制御スケジュール決定部１１６により決定された制御対象機器、制御内容、及び制御日時を含む制御スケジュールに、制御スケジュールＩＤと設定方法とを関連付けた制御スケジュールデータ１０５を記憶部１０４に格納する。制御スケジュールＩＤは、例えば連番であればよく、記憶部１０４に格納されている制御スケジュールデータ１０５の中で最大の制御スケジュールＩＤに１を加えたものが制御スケジュールＩＤに採用されるとよい。設定方法には、制御スケジュール決定部１１６が制御スケジュールを決定する元となった、カレンダスケジュールデータ１０６のカレンダＩＤと、第１の連動規則ＩＤ又は第２の連動規則ＩＤとが含められる。
【００７６】
制御スケジュール設定部１１７は、入力部１１２へのユーザの入力に基づく制御スケジュールデータ１０５を取得すると、その制御スケジュールデータ１０５を記憶部１０４に格納する。
【００７７】
機器制御部１１８は、例えば宅内ネットワークを介して制御信号を送信することによって、住宅Ａに設置される電気機器１０１の各々を制御する。機器制御部１１８は、例えば、制御スケジュール決定部１１６が決定した制御スケジュールに従って、電気機器１０１を制御する。すなわち、機器制御部１１８は、制御内容に応じて制御対象機器を制御日時に動作させる。
【００７８】
表示用制御スケジュール作成部１１９は、特定の制御スケジュールについてカレンダスケジュールデータ１０６を作成し、記憶部１０４に格納する。図４において、カレンダＩＤが２から６、１１であるカレンダスケジュールデータ１０６は、表示用制御スケジュール作成部１１９により作成された例を示す。
【００７９】
詳細には、表示用制御スケジュール作成部１１９は、関連付けデータ１０８を参照することによって、制御スケジュール決定部１１６が制御スケジュールを決定する元となった連動規則が、第１の連動規則と第２の連動規則とのいずれであるかを判断する。
【００８０】
第１の連動規則であると判断した場合、表示用制御スケジュール作成部１１９は、その制御スケジュールに基づいてカレンダスケジュールデータ１０６を作成し、記憶部１０４に格納する。
【００８１】
第２の連動規則であると判断した場合、表示用制御スケジュール作成部１１９は、第２の関連付けデータ１０８ｂを参照して、第２の連動規則ＩＤに、表示することが関連付けられているか否かを判断する。表示することが関連付けられていると判断した場合に、表示用制御スケジュール作成部１１９は、その制御スケジュールに基づいてカレンダスケジュールデータ１０６を作成し、記憶部１０４に格納する。
【００８２】
ここで、制御スケジュールに基づいてカレンダスケジュールデータ１０６が作成されるか否かと、その制御スケジュールがカレンダ画面１２３に表示されるか否かとには関連がある。カレンダスケジュールデータ１０６が作成された場合、制御スケジュールがカレンダ画面１２３に表示され、カレンダスケジュールデータ１０６が作成されない場合、制御スケジュールがカレンダ画面１２３に表示されない。
【００８３】
従って、第１の連動規則に基づく制御スケジュールについては、上述のように、常に、カレンダスケジュールデータ１０６が作成されるので、カレンダ画面１２３に表示されることになる。これに対して、第２の連動規則に基づく制御スケジュールについては、カレンダ画面１２３に表示させるか否かを第２の関連付けデータ１０８ｂに設定できるので、その設定に応じて、カレンダスケジュールデータ１０６が作成される場合と作成されない場合とがある。
【００８４】
第１の連動規則では、後述するように、第２の連動規則とは異なり、ユーザは採否を設定するだけであって、内容を設定することはできないように構成されている。そのため、第１の連動規則に基づく制御スケジュールについては、常に表示させることで、ユーザが確認することができるので、例えばユーザが予期しない制御が実行されることでユーザの利便性が低下することを防止している。
【００８５】
第２の連動規則では、後述するように、ユーザがその内容を設定することができる。そのため、第１の連動規則とは異なり、第２の連動規則に基づいて実行される制御は、ユーザが予期できる。そのため、表示させる必要がないとユーザが考える制御スケジュールについては非表示とすることで、カレンダ画面１２３に不要な情報が表示されないので、カレンダ画面１２３を見易くすることができる。これにより、ユーザの利便性を向上させることが可能になる。
【００８６】
ここで、カレンダスケジュールデータ１０６の作成において、表示用制御スケジュール作成部１１９は、カレンダＩＤと、主体と、予定の種類と、時期とが関連付けられる。
【００８７】
カレンダＩＤは、例えば連番であればよく、記憶部１０４に格納されているカレンダスケジュールデータ１０６の中で最大のカレンダＩＤに１を加えたものがカレンダＩＤに採用されるとよい。主体には、電気機器管理装置１０２の予定であることを示す予め定めた情報（本実施の形態では「装置」）が設定されるとよい。
【００８８】
予定の種類には、第１の連動規則が制御スケジュールの元となった場合、制御スケジュールに含まれる制御内容が設定されるとよい。第２の連動規則が制御スケジュールの元となった場合、予定の種類には、その第２の連動規則の第２の連動規則ＩＤが設定されるとよい。時期には、例えば、制御スケジュールに含まれる制御日時が採用されるとよい。
【００８９】
図２を参照する。
通知スケジュール作成部１２０は、特定の制御スケジュールについて、その制御スケジュールによる制御が実行されることをユーザへ通知するための制御スケジュールデータ１０５を作成して記憶部１０４に格納する。図３Ａ及び３Ｂにおいて、制御スケジュールＩＤが１１、１２，２４である制御スケジュールデータ１０５は、通知スケジュール作成部１２０により作成された例を示す。
【００９０】
詳細には、通知スケジュール作成部１２０は、関連付けデータ１０８を参照することによって、制御スケジュール決定部１１６が制御スケジュールを決定する元となった連動規則が、第１の連動規則と第２の連動規則とのいずれであるかを判断する。
【００９１】
第１の連動規則であると判断した場合、通知スケジュール作成部１２０は、ユーザへ通知するための制御スケジュールデータ１０５を作成しない。従って、本実施の形態では、第１の連動規則に基づく制御スケジュールによる制御が実行されることは、常に通知されないことになる。
【００９２】
第２の連動規則であると判断した場合、通知スケジュール作成部１２０は、第２の関連付けデータ１０８ｂを参照して、第２の連動規則ＩＤに、通知することが関連付けられているか否かを判断する。通知することが関連付けられていると判断した場合に、通知スケジュール作成部１２０は、第２の関連付けデータ１０８ｂが示す通知の内容に従って、ユーザへ通知するための制御スケジュールデータ１０５を作成して記憶部１０４に格納する。このユーザへの通知は、第２の連動規則ＩＤに基づく制御スケジュールによる制御が実行されることを知らせる内容を含むとよい。
【００９３】
そして、例えばメール送信部（図示せず）は、制御対象機器が「メール通知」である制御スケジュールデータ１０５の「制御日時」が到来したことを検知すると、第２の連動規則基づく制御が実行されることを知らせるメールを作成する。メール送信部は、作成したメールをユーザの端末装置１０３へ送信する。
【００９４】
図２を参照する。
関連付け設定部１２１は、表示部１１１に関連付け設定画面１２４が表示された場合に、その表示された情報に応じた関連付けデータ１０８を記憶部１０４に記憶させる。詳細には、関連付け設定部１２１は、入力部１１２への入力によりユーザの予定に連動する第１の連動規則が選定された場合に、その選定された第1の連動規則を特定する（すなわち、その第1の連動規則に対応する第1の連動規則ＩＤを含む）第１の関連付けデータ１０８ａを記憶部１０４に記憶させる。関連付け設定部１２１は、入力部１１２への入力により第２の連動規則がユーザの予定の始期及び終期のいずれに関するものかが選定された場合に、その第２の連動規則が、選定された始期又は終期に関するものであることを示す第２の関連付けデータ１０８ｂを記憶部１０４に記憶させる。
【００９５】
連動規則定義部１２２は、表示部１１１に連動規則定義画面１２５が表示された場合に、その表示に応じた内容を含む連動規則定義データ１０９を記憶部１０４に記憶させる。詳細には、連動規則定義部１２２は、入力部１１２への入力により第２の連動規則の制御対象機器と制御内容とが選定された場合に、その第２の連動規則の制御対象機器と制御内容とが、選定された制御対象機器と制御内容とであると定義する第２の連動規則定義データ１０９ｂを記憶部１０４に記憶させる。
【００９６】
これまで、本実施の形態に係る電気機器管理装置１０２の構成について説明した。ここから、電気機器管理装置１０２が実行する処理について説明する。
【００９７】
電気機器管理装置１０２は、例えばユーザが予定を入力する旨の指示を入力部１１２が受け付けると、図８に示すユーザスケジュール登録処理を実行する。
【００９８】
入力部１１２は、予定の種類と、主体と、予定タイトルとを受け付け（ステップＳ１０１）、予定の始期及び終期からなる時期を受け付けると（ステップＳ１０２）、予定の繰り返し設定がなされたか否かを判断する（ステップＳ１０３）。ここで繰り返し設定とは、ステップＳ１０１及びステップＳ１０２で受け付けた予定が繰り返されることを示すカレンダスケジュールデータ１０６を作成することの設定である。
【００９９】
繰り返し設定がなされていないと判断した場合（ステップＳ１０３；Ｎｏ）、入力部１１２は、ステップＳ１０１及びステップＳ１０２で受け付けた予定を示すカレンダスケジュールデータ１０６を作成する（ステップＳ１０４）。
【０１００】
繰り返し設定がなされたと判断した場合（ステップＳ１０３；Ｙｅｓ）、繰り返しの種類が選択されたか否かを判断する（ステップＳ１０５）。ここで、繰り返しの種類には、例えば、入力した予定を毎日繰り返す、特定の曜日のみ繰り返す、平日のみ繰り返すなどがある。
【０１０１】
繰り返しの種類が選択されていないと判断した場合（ステップＳ１０５；Ｎｏ）、入力部１１２は、ステップＳ１０３を繰り返し実行する。繰り返しの種類が選択されたと判断した場合（ステップＳ１０５；Ｙｅｓ）、ステップＳ１０１及びステップＳ１０２で受け付けた予定に基づいて、選択された繰り返しの種類に応じたカレンダスケジュールデータ１０６を作成する（ステップＳ１０６）。
【０１０２】
入力部１１２は、登録確認画面を表示部１１１に表示させ、それに対してユーザから登録指示を受け付けたか否かを判断する（ステップＳ１０７）。例えば、登録確認画面が、予定の登録指示を入力するための登録指示ボタンと、予定の入力のキャンセルを入力するためのキャンセルボタンとを含む。この場合、入力部１１２は、登録指示ボタンが押下された場合、登録指示を受け付けたと判断するとよい。また、キャンセルボタンが押下された場合、登録指示を受け付けていないと判断するとよい。ここで、ボタンの押下とは、例えば、入力部１１２がタッチパネルである場合、そのボタンの表示部分にタッチすることである。
【０１０３】
登録指示を受け付けていないと判断した場合（ステップＳ１０７；Ｎｏ）、入力部１１２は、ユーザスケジュール登録処理を終了する。登録指示を受け付けたと判断した場合（ステップＳ１０７；Ｙｅｓ）、入力部１１２は、作成したカレンダスケジュールデータ１０６をユーザスケジュール登録部１１３に引き渡す。ユーザスケジュール登録部１１３は、入力部１１２から取得したカレンダスケジュールデータ１０６を記憶部１０４に格納し（ステップＳ１０８）、ユーザスケジュール登録処理を終了する。これにより、ユーザが入力した予定が、カレンダスケジュールデータ１０６として、記憶部１０４に格納される。
【０１０４】
電気機器管理装置１０２は、例えばユーザが予定を登録すると、図９Ａ及び図９Ｂに示す連動制御処理を実行する。例えば、ユーザスケジュール取得部１１４が、記憶部１０４のカレンダスケジュールデータ１０６を監視し、カレンダスケジュールデータ１０６の更新を検出した場合に、ユーザが予定を登録したと判定される。
【０１０５】
連動制御判断部１１５は、ユーザが登録した予定に対応するカレンダスケジュールデータ１０６をユーザスケジュール取得部１１４から取得すると、そのカレンダスケジュールデータ１０６と予定の種類及びユーザの組が同じである関連付けデータ１０８を記憶部１０４から抽出する（ステップＳ１１１）。連動制御判断部１１５は、ステップＳ１１１にて抽出された関連付けデータ１０８の有無に応じて、入力された予定に連動制御の対象があるか否かを判断する（ステップＳ１１２）。
【０１０６】
例えば、図４にて「カレンダＩＤ」が「１」のカレンダスケジュールデータ１０６が、ステップＳ１１１にてユーザスケジュール取得部１１４から取得されたとする。ステップＳ１１１では、「予定の種類」が「外出（連泊）」であり、かつ、「ユーザ」が「全員」である関連付けデータ１０８が抽出される。
【０１０７】
ステップＳ１１１にて抽出された関連付けデータ１０８がない場合、連動制御判断部１１５は、連動制御の対象がないと判断し（ステップＳ１１２；Ｎｏ）、連動制御処理を終了する。ステップＳ１１１にて抽出された関連付けデータ１０８がある場合、連動制御判断部１１５は、連動制御の対象があると判断し（ステップＳ１１２；Ｙｅｓ）、抽出された関連付けデータ１０８を制御スケジュール決定部１１６に引き渡す。
【０１０８】
例えば、図５Ａ及び５Ｂに示す関連付けデータ１０８では、「予定の種類」が「外出（連泊）」であり、かつ、「ユーザ」が「全員」であるものが存在する。そのため、連動制御判断部１１５は、連動制御の対象があると判断する。
【０１０９】
制御スケジュール決定部１１６は、連動制御判断部１１５から取得した関連付けデータ１０８と同じ連動規則ＩＤを含む連動規則定義データ１０９を記憶部１０４から抽出する（ステップＳ１１３）。
【０１１０】
詳細には、取得した関連付けデータ１０８が第１の関連付けデータ１０８ａである場合、制御スケジュール決定部１１６は、その第１の関連付けデータ１０８ａに含まれる採否フラグを参照する。採否フラグが採用することを示す場合（本実施の形態では、採否フラグが「１」である場合）、制御スケジュール決定部１１６は、その第１の関連付けデータ１０８ａと同じ第１の連動規則ＩＤを含む第１の連動規則定義データ１０９ａを記憶部１０４から抽出する。
【０１１１】
例えば、図５Ａに示す第１の関連付けデータ１０８ａの場合、「予定の種類」が「外出（連泊）」であり、かつ、「ユーザ」が「全員」であるものには、「第１の連動規則ＩＤ」に「給湯システム制御」、「予定・予暖」、「製氷加速」を含む３つがある。このうち、「採否フラグ」が「１」である第１の関連付けデータ１０８ａは、「給湯システム制御」のみである。そのため、制御スケジュール決定部１１６は、「第１の連動規則ＩＤ」が「給湯システム制御」である第１の連動規則定義データ１０９ａを記憶部１０４から抽出する。
【０１１２】
取得した関連付けデータ１０８が第２の関連付けデータ１０８ｂである場合、制御スケジュール決定部１１６は、その第２の関連付けデータ１０８ｂと同じ第２の連動規則ＩＤを含む第２の連動規則定義データ１０９ｂを記憶部１０４から抽出する。
【０１１３】
例えば、図５Ｂに示す第２の関連付けデータ１０８ｂの場合、「予定の種類」が「外出（連泊）」であり、かつ、「ユーザ」が「全員」であるものには、「第２の連動規則ＩＤ」に「外出」、「帰宅」を含む２つがある。そのため、制御スケジュール決定部１１６は、「第２の連動規則ＩＤ」が「外出」、「帰宅」のそれぞれを含む第２の連動規則定義データ１０９ｂを記憶部１０４から抽出する。
【０１１４】
抽出したすべての連動規則定義データ１０９について、電気機器管理装置１０２は、ステップＳ１１５〜ステップＳ１２３を繰り返す（ループＡ；ステップＳ１１４）。
【０１１５】
制御スケジュール決定部１１６は、処理対象の連動規則定義データ１０９が制御条件を含むか否かを判断する（ステップＳ１１５）。制御条件を含むと判断した場合（ステップＳ１１５；Ｙｅｓ）、制御スケジュール決定部１１６は、処理対象の連動規則定義データ１０９に含まれる区画を利用するすべてのユーザを、記憶部１０４の区画データ１１０を参照することによって特定する（ステップＳ１１６）。
【０１１６】
制御スケジュール決定部１１６は、制御条件を満たすか否かを判断する（ステップＳ１１７）。例えば、ステップＳ１１６で特定したユーザと、ステップ１１１にて取得したカレンダスケジュールデータ１０６に含まれる主体とを対比することによって、制御条件を満たすか否かが判断される。
【０１１７】
例えば、処理対象の連動規則定義データ１０９が、図６Ａに示す第１の連動規則定義データ１０９ａのうち、「給湯システム制御」を「第１の連動規則ＩＤ」に含み、かつ、沸き上げ停止とその解除を「制御内容」に含むものであるとする。この第１の連動規則定義データ１０９ａは、「全員」を「制御条件」とし、「区画」に「その他」を含む。
【０１１８】
「制御条件」が「全員」である場合、カレンダスケジュールデータ１０６の「主体」が、ステップＳ１１６にて特定したユーザの「全員」であれば、制御条件を満たすことになる。
【０１１９】
ステップＳ１１１にて「カレンダＩＤ」が「１」のカレンダスケジュールデータ１０６を取得した場合、その「主体」は「全員」、すなわち、本実施の形態では「父、母、子」である。
【０１２０】
図７に示す区画データ１１０の場合、「その他」の「区画」に関連付けられた「ユーザ」は「父、母、子」である。
【０１２１】
カレンダスケジュールデータ１０６の「主体」たる「父、母、子」は、ステップＳ１１６にて特定されるユーザたる「父、母、子」の「全員」である。この例では、制御スケジュール決定部１１６は、制御条件を満たすと判断する。
【０１２２】
制御条件を満たさないと判断した場合（ステップＳ１１７；Ｎｏ）、制御スケジュール決定部１１６は、現在の処理対象の連動規則定義データ１０９についてループＡ（ステップＳ１１４）の処理を終了する。そして、未処理の連動規則定義データ１０９がある場合には、その連動規則定義データ１０９についてループＡ（ステップＳ１１４）の処理が実行される。未処理の連動規則定義データ１０９がない場合、制御スケジュール決定部１１６は、連動制御処理を終了する。
【０１２３】
制御条件を満たすと判断した場合（ステップＳ１１７；Ｙｅｓ）、又は、制御条件を含まないと判断した場合（ステップＳ１１５；Ｎｏ）、制御スケジュール決定部１１６は、現在の処理対象の連動規則定義データ１０９に従って、例えば制御対象機器、制御内容及び制御日時を含む制御スケジュールを決定する（ステップＳ１１８）。
【０１２４】
詳細には、現在の処理対象の連動規則定義データ１０９が第１の連動規則定義データ１０９ａである場合、制御スケジュール決定部１１６は、その第１の連動規則定義データ１０９ａに含まれる制御対象機器を、制御対象機器として決定する。そして、制御スケジュール決定部１１６は、現在の処理対象の第１の連動規則定義データ１０９ａに含まれる制御内容と、ステップＳ１１１にて取得したカレンダスケジュールデータ１０６とに基づいて、制御内容及び制御日時を決定する。このとき、必要に応じて、現在の処理対象の第１の連動規則定義データ１０９ａをステップＳ１１３にて抽出する元となった第１の関連付けデータ１０８ａの「増減人数」が、参照されてもよい。
【０１２５】
例えば、図６Ａに示す第１の連動規則定義データ１０９ａのうち、「給湯システム制御」を「第１の連動規則ＩＤ」に含み、かつ、沸き上げ停止とその解除を「制御内容」に含むものの「制御条件」を満たす判断されたとする。制御スケジュール決定部１１６は、この第１の連動規則定義データ１０９ａの「制御対象機器」が示す「給湯システム」を制御対象機器として決定する。そして、制御スケジュール決定部１１６は、ステップＳ１１１にて取得したカレンダスケジュールデータ１０６を参照しつつ、第１の連動規則定義データ１０９ａの「制御内容」が示す規則に従って、制御内容及び制御日時を決定する。
【０１２６】
現在の処理対象の連動規則定義データ１０９が第２の連動規則定義データ１０９ｂである場合、制御スケジュール決定部１１６は、その第２の連動規則定義データ１０９ｂに含まれる制御対象機器を参照することによって、制御スケジュールの制御対象機器として決定する。そして、制御スケジュール決定部１１６は、現在の処理対象の第１の連動規則定義データ１０９ａに含まれる制御内容を参照することによって、制御スケジュールの制御内容を決定する。
【０１２７】
さらに、制御スケジュール決定部１１６は、現在の処理対象の第２の連動規則定義データ１０９ｂをステップＳ１１３にて抽出する元となった第２の関連付けデータ１０８ｂの「タイミング」を抽出する。抽出した「タイミング」が「始期」である場合、制御スケジュール決定部１１６は、ステップＳ１１１にて取得したカレンダスケジュールデータ１０６の「始期」が示す時刻を制御日時として決定する。抽出した「タイミング」が「終期」である場合、制御スケジュール決定部１１６は、ステップＳ１１１にて取得したカレンダスケジュールデータ１０６の「終期」が示す時刻を制御日時として決定する。
【０１２８】
制御スケジュール決定部１１６は、ステップＳ１１８にて決定した、制御対象機器、制御内容及び制御日時を含む制御スケジュールを示すデータを制御スケジュール設定部１１７へ引き渡す。制御スケジュール設定部１１７は、制御スケジュール決定部１１６から取得したデータに、制御スケジュールＩＤと設定方法とを関連付ける。制御スケジュール設定部１１７は、制御対象機器、制御内容、制御日時、制御スケジュールＩＤ及び設定方法を関連付けた制御スケジュールデータ１０５を記憶部１０４に格納する（ステップＳ１１９）。
【０１２９】
通知スケジュール作成部１２０は、現在の処理対象の連動規則定義データ１０９とステップＳ１１１にて抽出された関連付けデータ１０８とに基づいて、通知が必要か否かを判断する（ステップＳ１２０）。
【０１３０】
詳細には、通知スケジュール作成部１２０は、第１の連動規則定義データ１０９ａが現在の処理対象である場合、通知が必要でないと判断する（ステップＳ１２０；Ｎｏ）。
【０１３１】
第２の連動規則定義データ１０９ｂが現在の処理対象である場合、通知スケジュール作成部１２０は、ステップＳ１１１にて抽出された第２の関連付けデータ１０８ｂのうち、第２の連動規則ＩＤが現在の処理対象の第２の連動規則定義データ１０９ｂと同じものを抽出する。通知スケジュール作成部１２０は、抽出した第２の関連付けデータ１０８ｂの「通知」の内容に基づいて、通知が必要か否かを判断する。
【０１３２】
本実施の形態では、抽出した第２の関連付けデータ１０８ｂの「通知」が「不要」である場合、通知スケジュール作成部１２０は、通知が必要でないと判断する（ステップＳ１２０；Ｎｏ）。抽出した第２の関連付けデータ１０８ｂの「通知」が「不要」でない場合、通知スケジュール作成部１２０は、通知が必要であると判断する（ステップＳ１２０；Ｙｅｓ）。
【０１３３】
通知が必要であると判断した場合（ステップＳ１２０；Ｙｅｓ）、通知スケジュール作成部１２０は、抽出した第２の関連付けデータ１０８ｂの「タイミング」及び「通知」の内容に基づいて、通知スケジュールを作成する（ステップＳ１２１）。
【０１３４】
この通知スケジュールは、通知を送信する時刻と、通知に含まれる内容とを含む。通知を送信する時刻は、抽出した第２の関連付けデータ１０８ｂの「タイミング」（「始期」又は「終期」）及び「通知」に含まれる時間に関する条件（例えば、１０分前）に基づいて算出されるとよい。また、通知に含まれる内容は、抽出した第２の関連付けデータ１０８ｂの「第２の制御規則ＩＤ」により特定される第２の制御規則に基づく制御が実行されることである。
【０１３５】
なお、通知スケジュール作成部１２０は、作成した通知スケジュールに、制御スケジュールＩＤと、「制御対象機器」としての「メール通知」とを関連付けた制御スケジュールデータ１０５を作成して、記憶部１０４に格納する。ここでも、制御スケジュールＩＤは、上述のように連番で付されるとよい。
【０１３６】
通知が必要でないと判断した場合（ステップＳ１２０；Ｎｏ）、又は、ステップＳ１２１の後に、表示用制御スケジュール作成部１１９は、現在の処理対象の連動規則定義データ１０９とステップＳ１１１にて抽出された関連付けデータ１０８とに基づいて、表示が必要か否かを判断する（ステップＳ１２２）。
【０１３７】
詳細には、表示用制御スケジュール作成部１１９は、第１の連動規則定義データ１０９ａが現在の処理対象である場合、表示が必要でないと判断する（ステップＳ１２２；Ｎｏ）。
【０１３８】
第２の連動規則定義データ１０９ｂが現在の処理対象である場合、表示用制御スケジュール作成部１１９は、ステップＳ１２０と同様の第２の関連付けデータ１０８ｂを抽出する。表示用制御スケジュール作成部１１９は、抽出した第２の関連付けデータ１０８ｂの「表示」の内容に基づいて、表示が必要か否かを判断する。
【０１３９】
本実施の形態では、抽出した第２の関連付けデータ１０８ｂの「表示」が「しない」である場合、表示用制御スケジュール作成部１１９は、表示が必要でないと判断する（ステップＳ１２２；Ｎｏ）。抽出した第２の関連付けデータ１０８ｂの「表示」が「する」である場合、表示用制御スケジュール作成部１１９は、表示が必要であると判断する（ステップＳ１２２；Ｙｅｓ）。
【０１４０】
第１の連動規則定義データ１０９ａが現在の処理対象であることにより、表示が必要であると判断した場合（ステップＳ１２２；Ｙｅｓ）、表示用制御スケジュール作成部１１９は、制御内容又は第２の連動規則ＩＤと、制御日時とを含む表示用制御スケジュールを作成する（ステップＳ１２３）。
【０１４１】
詳細には、第１の連動規則定義データ１０９ａが現在の処理対象であることにより、表示が必要であると判断した場合、表示用制御スケジュール作成部１１９は、制御ジュールに含まれる制御内容及び制御日時を含む表示用制御スケジュールを作成する。
【０１４２】
第２の連動規則定義データ１０９ｂが現在の処理対象であって、表示が必要であると判断した場合、表示用制御スケジュール作成部１１９は、その第２の連動規則定義データ１０９ｂに含まれる第２の連動規則ＩＤと、制御ジュールに含まれる制御日時とを含む表示用制御スケジュールを作成する。
【０１４３】
第２の連動規則定義データ１０９ｂは、作成した制御カレンダに、カレンダＩＤと、「主体」としての「装置」とを関連付けたカレンダスケジュールデータ１０６を作成して、記憶部１０４に格納する。ここでも、カレンダＩＤは、上述のように連番で付されるとよい。
【０１４４】
表示が必要でないと判断した場合（ステップＳ１２２；Ｎｏ）、又は、ステップＳ１２３の後に、表示用制御スケジュール作成部１１９は、現在の処理対象の連動規則定義データ１０９についてループＡ（ステップＳ１１４）の処理を終了し、未処理の連動規則定義データ１０９がある場合には、その連動規則定義データ１０９についてループＡ（ステップＳ１１４）の処理が実行される。未処理の連動規則定義データ１０９がない場合、表示用制御スケジュール作成部１１９は、連動制御処理を終了する。
【０１４５】
本実施の形態に係る電気機器管理装置１０２が実行する処理について説明した。例えば、ユーザスケジュール登録処理を実行することによって、図４に示すカレンダＩＤが１、７〜１０、１１、１４のカレンダスケジュールデータ１０６が登録される。これらのカレンダスケジュールデータ１０６の各々が入力されると、電気機器管理装置１０２は、連動制御処理を実行する。これにより、図３Ａ及び３Ｂに示す制御スケジュールデータ１０５が記憶部１０４に格納される。また、図４に示すカレンダＩＤが２〜６、１１、１３のカレンダスケジュールデータ１０６が登録される。そして、表示部１１１は、図４に示すカレンダスケジュールデータ１０６を参照して、例えば図１０に示すカレンダ画面１２３を表示する。
【０１４６】
なお、カレンダ画面１２３において、例えば、予定が表示されている領域をタッチすることにより、具体的な制御対象装置など詳細な情報が表示されるとよい。また、同図に示すカレンダ画面１２３は、１週間のカレンダスケジュールを示す例である。カレンダ画面１２３におけるカレンダの表示単位は、週単位に限られず、例えばユーザの指示などに応じて日・週・月などと切り替えられてもよい。
【０１４７】
入力部１１２へのユーザの入力などに応じて、関連付け設定画面１２４が表示部１１１に表示されると、電気機器管理装置１０２は、関連付け設定処理を実行する。
【０１４８】
関連付け設定画面１２４の一例を図１１に示す。同図に示す関連付け設定画面１２４に含まれる情報は、図５Ａ及び５Ｂに示す関連付けデータ１０８と対応している。
【０１４９】
図１１に示すように、関連付け設定画面１２４は、予定種別に対応する情報と、第１の連動規則ＩＤに対応する情報と、採否を示す採否情報と、増減人数に対応する情報とを含む。また、予定種別に対応する情報と、第２の連動規則ＩＤに対応する情報と、始期又は終期のそれぞれに対応する情報と、表示に対応する情報と、通知に対応する情報とを含む。さらに、関連付け設定画面１２４は、設定ボタンと、キャンセルボタンとを含む。
【０１５０】
同図に示す例では、予定種別に対応する情報は、「外出（連泊）」である。第１の連動規則ＩＤに対応する情報は、「給湯システム制御」、「予冷・予暖」及び「製氷加速」である。採否情報は、選択により切り替わる「ＯＮ」又は「ＯＦＦ」である。増減人数に対応する情報は、「０」である。
【０１５１】
「第１の連動規則ＩＤに対応する情報」、「採否情報」及び「増減人数に対応する情報」は、左右に並置されることで関連付けられている。これらと「予定種別に対応する情報」とは同じ画面に表示されることで関連付けられている。従って、「給湯システム」に関連付けられた「採否情報」及び「増減人数に対応する情報」のそれぞれでは、「ＯＮ」及び「０」が選択されており、「予冷・予暖」及び「製氷加速」のそれぞれに関連付けられた「採否情報」では、「ＯＦＦ」が選択されている。そして、「給湯システム」、「ＯＮ」及び「０」と、「予冷・予暖」及び「ＯＦＦ」と、「製氷加速」及び「ＯＦＦ」とのそれぞれに、予定種別に対応する情報である「外出（連泊）」が関連付けられている。
【０１５２】
第２の連動規則ＩＤに対応する情報は、「外出」及び「帰宅」である。始期に対応する情報は、「始期」である。終期に対応する情報は、「終期」である。表示に対応する情報は、チェックボックスである。通知に対応する情報は、チェックボックスと、通知のタイミング（同図では、１０分前）及び通知先（同図では、全員）を選択できるリストボックスとが示す内容である。
【０１５３】
「始期に対応する情報」及び「終期に関する情報」のそれぞれと、「第２の連動規則ＩＤに対応する情報」とは、左右に並置されることで関連付けられている。それぞれは、「予定種別に対応する情報」と同じ画面に表示されることで関連付けられるとともに、「表示に対応する情報」及び「通知に対応する情報」が下に近接して配置することで関連付けられている。
【０１５４】
このような関連付け設定画面１２４は、例えばユーザが入力部１１２を介して指示を与えることにより、表示部１１１に表示される。ユーザは、入力部１１２を用いて入力することができる。
【０１５５】
入力部１１２がタッチパネルである場合、例えば、表示されたスイッチをタッチすることで、採否情報の「ＯＮ」と「ＯＦＦ」を切り替えることができる。例えば、予定種別に対応する情報と、増減人数に対応する情報と、第２の連動規則ＩＤに対応する情報と、通知のタイミング及び通知先とのそれぞれの内容を、リストから選択することができる。例えば、表示に対応する情報のチェックボックス、通知に対応する情報のチェックボックスは、それぞれにタッチすることで、選択状態と非選択状態とを切り替えることができる。選択状態とはチェックされた状態であり、非選択状態とはチェックされていない状態である。
【０１５６】
そして、ユーザが各情報について入力した後、設定ボタンにタッチすることにより、関連付け設定画面１２４に表示された各情報に応じた内容が決定される。関連付け設定部１２１は、関連付け設定画面１２４において関連付けられた関係を維持して、第１の関連付けデータ１０８ａ及び第２の関連付けデータ１０８ｂを生成する。
【０１５７】
例えば、入力部１１２への入力により選択、切り替えなどがされた後、図１１の状態で設定ボタンがタッチされ、採否情報などを含む上述の情報が決定されたとする。図１１に示す関連付け設定画面１２４では、例えば、第１の連動規則ＩＤに対応する情報である「給湯システム制御」と、それに関連付けられた予定種別に対応する情報である「外出（連泊）」及び採否情報である「ＯＮ」とが関連付けられている。そのため、関連付け設定部１２１は、「給湯システム制御」と、「外出（連泊）」と、「ＯＮ」に応じた採否フラグ「１」とを関連付けた第１の関連付けデータ１０８ａを生成する。
【０１５８】
また例えば、図１１に示す関連付け設定画面１２４では、始期に対応する情報である「始期」と、それに関連付けられた予定種別に対応する情報である「外出（連泊）」及び第２の連動規則ＩＤに対応する情報である「外出」とが関連付けられている。さらに、表示及び通知に対応する情報のそれぞれのチェックボックスは、選択状態である。通知に対応する情報は、さらに、「１０分前に全員へ」通知することを含む。
【０１５９】
そのため、関連付け設定部１２１は、「始期」と、「外出（連泊）」と、「外出」と、「１０分前（全員）」と、「する」とを関連付けた第２の関連付けデータ１０８ｂを生成する。
【０１６０】
関連付け設定部１２１は、生成した第１の関連付けデータ１０８ａ又は第２の関連付けデータ１０８ｂを記憶部１０４に記憶させる。
【０１６１】
ユーザがキャンセルボタンを、例えばタッチすることにより、関連付け設定画面１２４の表示を終了させることができる。これにより、電気機器管理装置１０２は、関連付け設定処理を終了する。
【０１６２】
入力部１１２へのユーザの入力などに応じて、連動規則定義画面１２５が表示部１１１に表示されると、電気機器管理装置１０２は、連動規則定義処理を実行する。
【０１６３】
連動規則定義画面１２５の一例を図１２に示す。同図に示す連動規則定義画面１２５に含まれる情報は、図６Ｂに示す第２の連動規則定義データ１０９ｂと対応している。
【０１６４】
図１２に示すように、連動規則定義画面１２５は、第２の連動規則ＩＤに対応する情報と、制御対象機器（電気機器）に対応する情報と、区画に対応する情報と、制御内容に対応する情報と、制御条件に対応する情報とを含む。また、連動規則定義画面１２５は、削除の対象行を選択するためのチェックボックスと、追加ボタン、削除ボタン、設定ボタンと、キャンセルボタンとを含む。
【０１６５】
同図に示す例では、第２の連動規則ＩＤに対応する情報は、「帰宅」である。制御対象機器に対応する情報は、「リビング空調機」である。区画に対応する情報は、「リビング」である。制御内容に対応する情報は、「ＯＮ」である。制御条件に対応する情報は、「１人以上」である。
【０１６６】
チェックボックス、「制御対象機器に対応する情報」、「区画に対応する情報」、「制御内容に対応する情報」及び「制御条件に対応する情報」は、左右に並置されることで関連付けられており、これらと「第２の連動規則ＩＤに対応する情報」とは同じ画面に表示されることで関連付けられている。従って、非選択状態のチェックボックス、「リビング空調機」、「リビング」、「ＯＮ」及び「１人以上」が関連付けられている。それに第２の連動規則ＩＤに対応する情報である「帰宅」が関連付けられている。
【０１６７】
このような連動規則定義画面１２５は、例えばユーザが入力部１１２を介して指示を与えることにより、表示部１１１に表示される。ユーザは、入力部１１２を用いて入力することができる。
【０１６８】
入力部１１２がタッチパネルである場合、例えば、第２の連動規則ＩＤに対応する情報と、制御対象機器に対応する情報と、区画に対応する情報と、制御内容に対応する情報と、制御条件に対応する情報とは、それぞれの内容をリストから選択することができる。チェックボックスについては、それをタッチすることで、選択状態と非選択状態とを切り替えることができる。
【０１６９】
また、追加ボタンは、１回タッチされると、関連付けられた「制御対象機器に対応する情報」、「区画に対応する情報」、「制御内容に対応する情報」及び「制御条件に対応する情報」の選択欄を１つずつ追加する。削除ボタンは、タッチされると、選択状態であるチェックボックスに関連付けられた「制御対象機器に対応する情報」、「区画に対応する情報」、「制御内容に対応する情報」及び「制御条件に対応する情報」の選択欄を削除する。
【０１７０】
ユーザが各情報について入力した後、設定ボタンにタッチすることにより、連動規則定義画面１２５に表示された各情報に応じた内容が決定される。連動規則定義部１２２は、連動規則定義画面１２５において関連付けられた関係を維持して、第２の連動規則定義データ１０９ｂを生成する。
【０１７１】
例えば、入力部１１２への入力により選択、切り替えなどがされた後、図１２に示す状態で設定ボタンがタッチされ、上述の情報が決定されたとする。図１２に示す連動規則定義画面１２５では、例えば、制御対象機器に対応する情報である「リビング空調機」、区画に対応する情報である「リビング」、制御内容に対応する情報である「ＯＮ」及び制御条件に対応する情報である「１人以上」が関連付けられている。そのため、連動規則定義部１２２は、「リビング空調機」、「リビング」、「ＯＮ」及び「１人以上」が関連付けられた第２の連動規則定義データ１０９ｂを生成する。連動規則定義部１２２は、生成した第２の連動規則定義データ１０９ｂを記憶部１０４に記憶させる。これにより、電気機器管理装置１０２は、連動規則定義処理を終了する。
【０１７２】
ユーザがキャンセルボタンにタッチすることにより、連動規則定義画面１２５の表示を終了させることができる。これにより、電気機器管理装置１０２は、関連付け設定処理を終了する。
【０１７３】
なお、関連付け設定画面１２４及び連動規則定義画面１２５に含まれる情報には、上述のような文字に代えて、アイコンなどが採用されてもよい。
【０１７４】
なお、例えばＩＨＣＨ１０１ｃ＿５は、電源がＯＦＦ（切）であると待機電力が０である。このような電気機器１０１では、ユーザが電源を切って出かけた場合、電気機器管理装置１０２がユーザの外出に応じてＯＦＦの制御信号を送信しても、その信号を受信することができないものがある。この場合、電源が切られているので安全かつ無駄な電力の消費もないようにも思えるが、家に独りで残っている子供が誤ってＩＨＣＨ１０１ｃ＿５の電源を入れると、ＩＨＣＨ１０１ｃ＿５が動作を開始してしまう。
【０１７５】
そのため、ＩＨＣＨ１０１ｃ＿５などには、例えば電池で動作する通信アダプタが搭載されるとよい。そして、ＩＨＣＨ１０１ｃ＿５の電源がＯＦＦである場合、通信アダプタが、電気機器管理装置１０２からの制御信号をバッファリングし、ＩＨＣＨ１０１ｃ＿５の電源がＯＮ（入）に切り替えられて動作を開始する前に、バッファリングしている制御信号をＩＨＣＨ１０１ｃ＿５へ送信するとよい。或いは、電気機器管理装置１０２が制御信号をバッファリングし、ＩＨＣＨ１０１ｃ＿５が動作を開始したことを検出すると、バッファリングしている制御信号をＩＨＣＨ１０１ｃ＿５へ送信してもよい。或いは、ＩＨＣＨ１０１ｃ＿５の動作を開始させる際には、常に通信アダプタを経由して指示を与えるようにしてもよい。これらの構成によれば、子供が誤ってＩＨＣＨ１０１ｃ＿５の電源を入れた場合であっても、電気機器管理装置１０２からの制御信号によりその動作を制御することができる。
【０１７６】
なお、入力部１１２からの入力に基づいて作成された制御スケジュールデータ１０５と、予定の入力に応じて作成された制御スケジュールデータ１０５とで、両立し得ない関係が生じた場合、例えば後に作成されたものを優先的に適用し、先に作成されたものを破棄してもよい。
【０１７７】
なお、電気機器１０１を操作するためのリモートコントローラが、本発明に係る電気機器管理装置として、本実施の形態に係る電気機器管理装置１０２が備える機能を備え、また、本実施の形態に係る電気機器管理装置１０２が実行する処理を行ってもよい。この場合、リモートコントローラが、上述したように、ユーザの予定に従って制御スケジュールデータ１０５を作成して制御する。リモートコントローラの制御対象は、住宅Ａに設置される電気機器１０１のうちの１台（例えば、空調機１０１ｂ＿４）を主たる制御対象としつつ、他の電気機器１０１の一部（例えば、空調機１０１ｂ＿３、照明機器１０１ａ＿４、１０１ａ＿５、冷蔵庫１０１ｄ＿５など）又は全部であってもよい。また、リモートコントローラの制御対象は、住宅Ａに設置される電気機器１０１のうちの１台（例えば、空調機１０１ｂ＿４）のみであってもよく、この場合の制御スケジュールデータ１０５は、その１台（例えば、空調機１０１ｂ＿４）のみに関する情報を含めばよい。
【０１７８】
なお、電気機器１０１自体（例えば、空調機１０１ｂ＿４）が、本発明に係る電気機器として、本実施の形態に係る電気機器管理装置１０２が備える機能を備え、本実施の形態に係る電気機器管理装置１０２が実行する処理を行ってもよい。この場合、電気機器１０１自体（例えば、空調機１０１ｂ＿４）が、上述したように、ユーザの予定に従って制御スケジュールデータ１０５を作成して制御する。この電気機器１０１（例えば、空調機１０１ｂ＿４）が、他の電気機器１０１の一部（例えば、空調機１０１ｂ＿３、照明機器１０１ａ＿４、１０１ａ＿５、冷蔵庫１０１ｄ＿５など）又は全部を制御する機能を備えてもよい。
【０１７９】
なお、端末装置１０３が、本発明に係る端末装置として、本実施の形態に係る電気機器管理装置１０２が備える機能を備え、また、本実施の形態に係る電気機器管理装置１０２が実行する処理を行ってもよい。詳細には、端末装置１０３は、インストールされたプログラムを実行することで、本実施の形態に係る電気機器管理装置１０２が備える機能を実現し、また、本実施の形態に係る電気機器管理装置１０２が実行する処理を行うとよい。
【０１８０】
この場合、端末装置１０３は、電気機器１０１の各々と、宅内ネットワークを介して通信してもよく、直接に通信してもよい。さらに、端末装置１０３は、インターネットなどの外部ネットワークを介して、電気機器１０１の各々と通信してもよい。電気機器１０１の各々は、直接に外部ネットワークに接続されてもよく、宅内ネットワークを介して接続されてもよい。
【０１８１】
本実施の形態によれば、ユーザの誰かが予定を入力すれば、それに応じて制御スケジュールデータ１０５が作成され、制御スケジュールデータ１０５に従って電気機器１０１の動作が自動的に制御される。これにより、ユーザが、快適性と省エネルギとを意識して電気機器１０１を操作しなくても、電気機器１０１を適切かつ確実に動作させることができる。従って、ユーザが意識的に電気機器１０１を操作しなくても、ユーザが所望する快適性を維持しつつエネルギの消費量を抑制することが可能になる。
【０１８２】
本実施の形態では、連動制御規則データ１０７が、関連付けデータ１０８及び連動規則定義データ１０９を含む。これにより、ユーザの予定と連動して実行される制御をまとめて管理し、適切に電気機器１０１を動作させることができる。従って、ユーザが所望する快適性を維持しつつエネルギの消費量を抑制するための連動制御規則データ１０７の管理や設定を容易にすることが可能になる。
【０１８３】
本実施の形態では、関連付けデータ１０８及び連動規則定義データ１０９が、第１の連動規則に関するデータと第２の連動規則に関するデータとを含む。すなわち、関連付けデータ１０８及び連動規則定義データ１０９は、第１の連動規則に関するデータとして第１の関連付けデータ１０８ａ及び第１の連動規則定義データ１０９ａを含む。関連付けデータ１０８及び連動規則定義データ１０９は、第２の連動規則に関するデータとして第２の関連付けデータ１０８ｂ及び第２の連動規則定義データ１０９ｂを含む。
【０１８４】
そして、第１の関連付けデータ１０８ａは採否フラグを含む。これによって、ユーザは、快適性と省エネルギとを考慮して、ユーザの予定に連動して実行する制御に、第１の連動規則を採用するか否かを設定することができる。従って、ユーザが意識的に電気機器１０１を操作しなくても、ユーザが所望する快適性を維持しつつエネルギの消費量を抑制することが可能になる。
【０１８５】
本実施の形態では、第１の連動規則に基づく制御は、給湯システムの沸き上げ、空調機の予冷・予暖、冷蔵庫の製氷などを対象としており、始期及び終期以外に実行されるものを含む。
【０１８６】
例えば、給湯システムの沸き上げは、電力消費が少ない夜間に実行されることが多いが、ユーザは、沸き上げが具体的にいつ実行されるかを知らないことが多い。空調機の予冷・予暖、冷蔵庫の製氷についても、ユーザは、それに要する時間が分からないことが多い。
【０１８７】
このような制御については、ユーザが設定すると、不適切なものになるおそれがある。
【０１８８】
そのため、第１の連動規則に基づいて、始期及び終期以外に実行する制御スケジュールが決定される場合、ユーザが採否フラグを設定できる一方で、第１の連動規則の詳細は予め設定されたものとすることで、ユーザの快適性と省エネルギ性とを向上させることが可能になる。そして、ユーザが所望する快適性を維持しつつエネルギの消費量を抑制するための連動制御規則データ１０７の管理や設定を容易にすることが可能になる。
【０１８９】
これに対して、第２の連動規則に関するデータによれば、ユーザの予定の始期又は終期に複数の電気機器１０１に対して実行する制御をまとめて管理し、適切に電気機器１０１を動作させることができる。また、第２の連動規則に関するデータでは、タイミング、制御対象機器、制御内容のそれぞれを個別に含むので、ユーザが容易に設定することができる。従って、ユーザが所望する快適性を維持しつつエネルギの消費量を抑制するための連動制御規則データ１０７の管理や設定を容易にすることが可能になる。
【０１９０】
なお、第２の連動規則の制御対象機器には、ユーザが設定しても不適切なものになるおそれが小さい電気機器１０１が採用されるとよい。これにより、ユーザが所望する快適性を維持しつつエネルギの消費量を抑制するための連動制御規則データ１０７の管理や設定を容易にすることが可能になる。
【０１９１】
本実施の形態によれば、ユーザは関連付け設定画面１２４に応じて入力することで、第１の関連付けデータ１０８ａ及び第２の関連付けデータ１０８ｂを設定することができる。第２の連動規則に関連する第２の関連付けデータ１０８ｂでは、制御スケジュールの制御日時を直接的に設定できるのに対して、第１の連動規則に関連する第１の関連付けデータ１０８ａでは、「ＯＮ」又は「ＯＦＦ」のみ、或いは、それに加えて人数が設定できるだけである。
【０１９２】
また、ユーザは連動規則定義画面１２５に応じて入力することで、第２の連動規則定義データ１０８ｂを設定することができる。第２の連動規則定義データ１０８ｂは、第２の連動規則を定義するデータであり、ユーザは、制御スケジュールの制御対象機器及び制御内容まで設定することができる。これに対して、連動規則定義画面１２５にて、第１の連動規則定義データ１０８ａを設定することができない。
【０１９３】
本実施の形態では、第１の連動規則が対象とする制御は、給湯システムの沸き上げ、空調機の予冷・予暖、冷蔵庫の製氷など、ユーザがどの時間に制御を実行させればよいか、設定が困難なものである。このような制御については、ユーザの予定に連動して制御するか否かなど簡易な設定のみを許容し、詳細は予め設定された規則（第１の連動規則）に従って設定することで、ユーザが不適切な設定をしてしまうことを防ぐことができる。その結果、ユーザの利便性を向上させることが可能になる。
【０１９４】
これに対して、第２の連動規則が対象とする制御は、ユーザの予定の始期又は終期に実行されるので、設定が比較的容易である。本実施の形態では、関連付け設定画面１２４、さらに連動規則定義画面１２５を提供することによって、第２の連動規則に基づく制御について、ユーザが、どの電気機器１０１を対象として、どのような制御を始期と終期のいずれに実行させるか、すなわち、制御対象機器、制御内容及び制御日時を設定できる。これによって、ユーザの快適性と省エネルギ性とを向上させることが可能になる。
【０１９５】
制御スケジュールは、カレンダ画面１２３にユーザの予定とともに表示される。これにより、ユーザは、ユーザの予定に連動した制御がいつ実行されるかを容易に知ることができる。
【０１９６】
本実施の形態では、第１の連動規則に関するデータについては、ユーザは関連付け設定画面１２４及び連動規則定義画面１２５に応じて、第１の連動規則の採否を設定できるだけであり、その内容を詳細に設定できない。そのため、ユーザは、第１の連動規則に基づいてどのような制御が実行されるか予期できない可能性がある。その一方で、第１の連動規則に基づく各制御はユーザの予定の始期及び終期以外に実行されるので、ユーザは、第１の連動規則に基づく各制御がユーザの予定に連動していることが分かれば、各制御が実行される具体的な時刻まで知る実益は乏しい。そこで、図１０に示すように、カレンダ画面１２３は、第１の連動規則に基づく制御スケジュールについては、各制御の内容をそれぞれが実行される日付と関連付けて表示する。これにより、ユーザに十分な情報を分かり易く知らせることができ、ユーザの利便性を向上させることが可能になる。
【０１９７】
これに対して、第２の連動規則については、ユーザはその内容を詳細に決定できる。そのため、ユーザは、第２の連動規則に基づいてどのような制御が実行されるか概ね予期することができ、また、関連付け設定画面１２４、連動規則定義画面１２５などで容易に確認することもできる。その一方で、第２の連動規則に基づく各制御はユーザの予定の始期又は終期に実行されるので、ユーザは、第２の連動規則に基づく制御がユーザのどの予定に連動するものか分かった方が便利である。そこで、第２の連動規則に基づく制御スケジュールについては、第２の連動規則ＩＤに対応する情報を、それに基づく制御が実行される日時と関連付けて表示する。これにより、ユーザに十分な情報を分かり易く知らせることができ、ユーザの利便性を向上させることが可能になる。
【０１９８】
連動規則定義データ１０９は制御条件を含むので、区画を利用するユーザの在・不在に応じて、区画に設置されている電気機器１０１の動作を適切に制御することができる。例えば、父が出かけている場合、父だけが利用する書斎の照明機器１０１ａ＿２や空調機１０１ｂ＿２の消し忘れを、住宅Ａに残っている母又は子が確認しなくても、父の予定を入力しておくだけで、電気機器管理装置１０２により確実に照明機器１０１ａ＿２及び空調機１０１ｂ＿２の動作を停止させることができる。従って、ユーザが意識的に電気機器１０１を操作しなくても、ユーザが所望する快適性を維持しつつエネルギの消費量を抑制することが可能になる。
【０１９９】
なお、本実施の形態では、第１の連動規則ＩＤ又は第２の連動規則ＩＤによって、関連付けデータ１０８と連動規則定義データ１０９とが関連付けられる例により説明した。しかし、この関連付けによって生成され得る各データが、連動規則制御データ１０７に含まれてもよい。これによれば、連動規則制御データ１０７が第１の連動規則ＩＤと第２の連動規則ＩＤとの一方又は両方を有しなくても、本実施の形態と同様に、ユーザの予定に応じた制御スケジュールを決定することができる。
【０２００】
なお、本実施の形態では、１人又は複数人のユーザが関連する予定が入力された場合に、連動規則定義データ１０９と区画データ１１０とに基づいて、制御の対象となる電気機器１０１が決定される例を説明した。これにより、予定に関連するユーザに応じた電気機器１０１を制御の対象とすることができる。
【０２０１】
しかし、連動規則定義データ１０９の各々が、区画及び制御条件に代えて、ユーザを含んでもよい。この場合、連動規則定義データ１０９に含まれるユーザと、予定に関連するユーザとに基づいて、その連動規則定義データ１０９を適用するか否かが決定されるとよい。
【０２０２】
例えば、連動規則定義データ１０９に含まれるユーザと、予定に関連するユーザとが一致する場合に、その連動規則定義データ１０９を適用し、そうでない場合に、その連動規則定義データ１０９を適用しないとされるとよい。例えば、連動規則定義データ１０９に含まれるユーザの少なくとも一部が、予定に関連するユーザに含まれる場合に、その連動規則定義データ１０９を適用し、そうでない場合に、その連動規則定義データ１０９を適用しないとされてもよい。
【０２０３】
これよれば、区画データ１１０を予め記憶しておかなくても、予定に関連するユーザに応じて適用すべき連動規則定義データ１０９を決定することができる。そのため、予定に関連するユーザに応じた電気機器１０１を制御の対象とすることができる。
【０２０４】
本実施の形態では、第１の連動規則に基づく制御が実行されることは、ユーザへ通知されない。第１の連動規則に基づく制御は、ユーザの予定の始期及び終期以外に実行されるものを含むので、深夜に実行されることもある。そのため、ユーザへ通知することは快適性を損なうおそれがある。一方、上述のように、ユーザは、その制御が実行されることをカレンダ画面１２３で確認できるので、通知をしなくても利便性を低下させる可能性は低い。従って、第１の連動規則に基づく制御の実行については、ユーザへ通知をしないことで、利便性の低下を抑えることが可能になる。
【０２０５】
これに対して、第２の連動規則に基づく制御は、第２の関連付けデータ１０８ｂの設定に応じてユーザへ通知される。これにより、ユーザは、第２の連動規則に基づく制御が実行されることを知ることができる。第２の連動規則は、ユーザの予定の始期又は終期に実行されるので、通知を受けたユーザは、必要に応じて、ユーザは制御の実行を停止させることができる。詳細には、ユーザは、例えば、端末装置１０３から、ユーザの予定の変更を示す情報又は電気機器１０１の動作を変更する指示を電気機器管理装置１０２へ送信すればよい。従って、第２の連動規則に基づく制御の実行については、設定に応じてユーザへ通知することで、利便性を向上させることが可能になる。
【０２０６】
実施の形態２．
本実施の形態に係る電気機器管理システム２００は、図１３に示すように、インターネットなどの外部ネットワーク２４０を介して通信するサーバ装置２４１と、電気機器管理装置２０２と、端末装置２０３とから構成される。
【０２０７】
サーバ装置２４１は、電気機器管理装置２０２と同期しながら、カレンダスケジュールデータ２４２を管理する装置であって、同図に示すように、カレンダスケジュールデータ２４２と、管理データ２４３とが格納される記憶部２４４と、同期部２４５とを備える。
【０２０８】
カレンダスケジュールデータ２４２は、図１４に示すように、実施の形態１に係るカレンダスケジュールデータ１０６に加えて、電気機器管理装置ＩＤを含む。電気機器管理装置ＩＤは、住居Ａの電気機器管理装置２０２を特定するための情報であり、電気機器管理装置２０２に固有の情報がサーバ装置２４１にて適宜付与されてよい。なお、外部ネットワーク２４０におけるアドレスなどが採用されてもよい。
【０２０９】
管理データ２４３は、電気機器管理装置２０２及び端末装置２０３のそれぞれと通信するために電気機器管理装置２０２と端末装置２０３とを対応付けるデータである。図１５に示すように、電気機器管理装置ＩＤは、電気機器管理装置ＩＤと、端末装置ＩＤとを含む。電気機器管理装置ＩＤは、カレンダスケジュールデータ２４２のものと同様である。端末装置ＩＤは、端末装置２０３を特定するための情報である。
【０２１０】
同期部２４５は、端末装置２０３から送信されるカレンダスケジュールデータ１０６を外部ネットワーク２４０を介して受信する。同期部２４５は、管理データ２４３を参照することによって、送信元の端末装置２０３の端末装置ＩＤを特定する。同期部２４５は、特定した端末装置ＩＤを、受信したカレンダスケジュールデータ１０６に含めたカレンダスケジュールデータ２４２を記憶部２４４に格納する。これにより、記憶部２４４のカレンダスケジュールデータ２４２が更新される。
【０２１１】
また、同期部２４５は、管理データ２４３にて送信元の端末装置２０３の端末装置ＩＤに関連付けられた電気機器管理装置ＩＤを特定する。同期部２４５は、特定した電気機器管理装置ＩＤに対応する電気機器管理装置２０２へ、端末装置２０３から受信したカレンダスケジュールデータ１０６を転送する。
【０２１２】
電気機器管理装置２０２は、図１６に示すように、住宅Ａにて実施の形態１と同様に、電気機器１０１と通信可能に構成される。電気機器管理装置２０２は、実施の形態１に係るユーザスケジュール登録部１１３及びユーザスケジュール取得部１１４に代わる、ユーザスケジュール登録部２１３及びユーザスケジュール取得部２１４を備えることを除いて、実施の形態１に係る電気機器管理装置１０２と概ね同じ構成を備える。
【０２１３】
ユーザスケジュール登録部２１３は、実施の形態１に係るユーザスケジュール登録部１１３と同様の機能を備える。加えて、ユーザスケジュール登録部２１３は、ユーザが予定を入力すると、外部ネットワーク２４０を介して、カレンダスケジュールデータ１０６をサーバ装置２４１へ送信する。
【０２１４】
ユーザスケジュール取得部２１４は、実施の形態１に係るユーザスケジュール取得部１１４が備える機能を備える、加えて、ユーザスケジュール取得部２１４は、外部ネットワーク２４０を介して、サーバ装置２４１からカレンダスケジュールデータ１０６を取得する。ユーザスケジュール取得部２１４は、カレンダスケジュールデータ２４２をサーバ装置２４１から取得すると、そのカレンダスケジュールデータ２４２をユーザスケジュール登録部２１３へ引き渡す。これにより、ユーザスケジュール登録部２１３は、サーバ装置２４１から取得されたカレンダスケジュールデータ２４２を、カレンダスケジュールデータ１０６として記憶部１０４に格納する。
【０２１５】
端末装置２０３は、ユーザ入力に基づいて、外部ネットワーク２４０を介してサーバ装置２４１のカレンダスケジュールデータ２４２を更新する。これにより、ユーザは宅外からカレンダスケジュールデータ２４２を更新することができる。
【０２１６】
本実施の形態によれば、ユーザは端末装置２０３を用いてサーバ装置２４１のカレンダスケジュールデータ２４２を更新することができる。サーバ装置２４１のカレンダスケジュールデータ２４２と、電気機器管理装置２０２のカレンダスケジュールデータ１０６とは同期する。これにより、ユーザは宅外からでも、電気機器管理装置２０２のカレンダスケジュールデータ１０６を更新することができ、ユーザが端末装置２０３に予定を入力するだけで、新しい予定に応じた適切な制御スケジュールデータ１０５で電気機器１０１を動作させることができる。従って、ユーザが意識的に電気機器１０１を操作しなくても、ユーザが所望する快適性を維持しつつエネルギの消費量を抑制することが可能になる。
【０２１７】
実施の形態３．
本実施の形態に係る電気機器管理システム３００は、図１７に示すように、外部ネットワーク２４０を介して通信するサーバ装置３４１と、電気機器管理装置３０２ａ〜ｃと、端末装置２０３とから構成される。
【０２１８】
サーバ装置３４１は、実施の形態２に係るサーバ装置２４１と同様に、電気機器管理装置３０２と同期しながら、カレンダスケジュールデータ３４２を管理する、加えて、サーバ装置３４１は、カレンダスケジュールデータ３４２が示す内容の関係に応じて、電気機器管理装置３０２ａ〜ｃの各々が管理する電気機器１０１に予め定めた動作をさせる。
【０２１９】
サーバ装置３４１は、同図に示すように、カレンダスケジュールデータ３４２と、管理データ３４３とが格納される記憶部３４４と、機器管理部３５１とを備える。
【０２２０】
カレンダスケジュールデータ３４２は、図１８に示すように、実施の形態２に係るカレンダスケジュールデータ２４２と同様に構成される。カレンダスケジュールデータ３４２は、実施の形態２に係るカレンダスケジュールデータ２４２とは異なり、複数の住宅Ａ〜Ｃの予定を含む。電気機器管理装置ＩＤのＡ〜Ｃのそれぞれは、住宅Ａに設置される電気機器管理装置３０２ａ、住宅Ｂに設置される電気機器管理装置３０２ｂ、住宅Ｃに設置される電気機器管理装置３０２ｃのＩＤを示す。
【０２２１】
管理データ３４３は、電気機器管理装置３０２ａ〜ｃを管理するためのデータであって、電気機器管理装置３０２ａ〜ｃの各々の電気機器管理ＩＤに電気機器管理装置アドレスが対応付けられている。
【０２２２】
機器管理部３５１は、実施の形態２に係る同期部２４５と同様の機能を備える。加えて、機器管理部３５１は、カレンダスケジュールデータ３４２において、異なる電気機器管理装置ＩＤに関連付けられた情報の内容が予め定められた関係、すなわち、カレンダスケジュールデータ３４２によって示される、住宅Ａ〜Ｃのそれぞれのユーザごとの予定が予め定められた関係にある場合、外部ネットワーク２４０を介して、電気機器管理装置３０２ａ〜ｃの各々へ制御信号を送信する。この制御信号は、電気機器管理装置３０２ａ〜ｃの各々が管理する電気機器１０１に予め定められた動作をさせるための信号である。
【０２２３】
電気機器管理装置３０２ａ〜ｃは、それぞれ、住宅Ａ〜Ｃに設置され、住宅Ａ〜Ｃに設けられた電気機器１０１を管理する。電気機器管理装置３０２ａ〜ｃは、それぞれ、同様の構成を備えており、電気機器管理装置３０２ａの機能的な構成の例を図２０に示す。電気機器管理装置３０２ａは、同図に示すように、実施の形態２に係る機器制御部１１８に代わる、機器制御部３１８を備えることを除いて、実施の形態２に係る電気機器管理装置２０２と概ね同じ構成を備える。
【０２２４】
機器制御部３１８は、実施の形態２に係る機器制御部１１８と（すなわち、実施の形態１に係る機器制御部１１８とも）同様の機能を備える。加えて、機器制御部３１８は、サーバ装置３４１から外部ネットワーク２４０を介して、電気機器１０１の動作を制御するための制御信号を受信する。機器制御部３１８は、サーバ装置３４１からの制御信号を受信すると、その制御信号に従って、宅内の電気機器１０１を動作させる。
【０２２５】
本実施の形態によれば、カレンダスケジュールデータ３４２が示す内容の関係に応じて、電気機器管理装置３０２ａ〜ｃの各々に予め定めた動作をさせることができる。例えば、図１８に示す住居Ａ〜Ｃのカレンダスケジュールデータ３４２では、２０１３年７月１３日の夜が、住居Ａ〜Ｃのすべてで夜間留守である。住居Ａ〜Ｃが近隣の住居である場合には、例えば防犯のために、２０１３年７月１３日の夜には住居Ａ〜Ｃの照明機器を点灯させるとよい。これにより、ユーザが安心して外出することができ、ユーザの快適性が向上する。
【０２２６】
以上、本発明の実施の形態について説明したが、本発明は、各実施の形態に限定されるものではなく、各実施の形態及び変形例を適宜組み合わせた形態、それに種々の変更を加えた形態を含む。
【産業上の利用可能性】
【０２２７】
本願発明は、電気機器を管理する電気機器管理装置、電気機器、端末装置、電気機器管理装置を備える電気機器管理システム、電気機器を管理するためのプログラムなどに適用することができる。
【符号の説明】
【０２２８】
１００，２００，３００  電気機器管理システム、１０１  電気機器、１０２，２０２，３０２ａ〜ｃ  電気機器管理装置、１０３，２０３  端末装置、１０４，２０４，２４４，３４４  記憶部、１０５  制御スケジュールデータ、１０６，２４２，３４２  カレンダスケジュールデータ、１０７  連動制御規則データ、１０８  関連付けデータ、１０９  連動規則定義データ、１１０  区画データ、１１１  表示部、１１２  入力部、１１３，２１３  ユーザスケジュール登録部、１１４，２１４  ユーザスケジュール取得部、１１５  連動制御判断部、１１６  制御スケジュール決定部、１１７  制御スケジュール設定部、１１８，３１８  機器制御部、１１９  表示用制御スケジュール作成部、１２０  通知スケジュール作成部、１２１  関連付け設定部、１２２  連動規則定義部、２４０  外部ネットワーク、２４１，３４１  サーバ装置、２４３，３４３  管理データ、２４５  同期部、３５１  機器管理部。
【図１】
2015075825.tif 000003
【図２】
2015075825.tif 000004
【図３Ａ】
2015075825.tif 000005
【図３Ｂ】
2015075825.tif 000006
【図４】
2015075825.tif 000007
【図５Ａ】
2015075825.tif 000008
【図５Ｂ】
2015075825.tif 000009
【図６Ａ】
2015075825.tif 000010
【図６Ｂ】
2015075825.tif 000011
【図７】
2015075825.tif 000012
【図８】
2015075825.tif 000013
【図９Ａ】
2015075825.tif 000014
【図９Ｂ】
2015075825.tif 000015
【図１０】
2015075825.tif 000016
【図１１】
2015075825.tif 000017
【図１２】
2015075825.tif 000018
【図１３】
2015075825.tif 000019
【図１４】
2015075825.tif 000020
【図１５】
2015075825.tif 000021
【図１６】
2015075825.tif 000022
【図１７】
2015075825.tif 000023
【図１８】
2015075825.tif 000024
【図１９】
2015075825.tif 000025
【図２０】
2015075825.tif 000026
【手続補正書】
【提出日】平成27年12月16日(2015.12.16)
【手続補正１】
【補正対象書類名】明細書
【補正対象項目名】０００６
【補正方法】変更
【補正の内容】
【０００６】
上記目的を達成するため、本発明に係る電気機器管理装置は、
ユーザの予定を示すカレンダスケジュールデータを取得するユーザスケジュール取得手段と、
制御の対象となる電気機器である制御対象機器と、当該制御対象機器に対する制御の内容を示す情報とを含む第１の連動規則を定義する第１の連動規則定義データを記憶する連動規則定義記憶手段と、
前記ユーザの予定と、前記第１の連動規則とを関連付ける第１の関連付けデータを記憶する関連付け記憶手段と、
前記カレンダスケジュールデータと前記第１の関連付けデータと前記第１の連動規則定義データとに基づく制御日時に、前記制御対象機器を制御する機器制御手段とを備える。
【手続補正２】
【補正対象書類名】特許請求の範囲
【補正対象項目名】全文
【補正方法】変更
【補正の内容】
【特許請求の範囲】
【請求項１】
ユーザの予定を示すカレンダスケジュールデータを取得するユーザスケジュール取得手段と、
制御の対象となる電気機器である制御対象機器と、当該制御対象機器に対する制御の内容を示す情報とを含む第１の連動規則を定義する第１の連動規則定義データを記憶する連動規則定義記憶手段と、
前記ユーザの予定と、前記第１の連動規則とを関連付ける第１の関連付けデータを記憶する関連付け記憶手段と、
前記カレンダスケジュールデータと前記第１の関連付けデータと前記第１の連動規則定義データとに基づく制御日時に、前記制御対象機器を制御する機器制御手段とを備える電気機器管理装置。
【請求項２】
前記カレンダスケジュールデータと前記第１の関連付けデータと前記第１の連動規則定義データとに基づいて、前記予定に連動して実行する前記制御対象機器に対する制御スケジュールを決定する制御スケジュール決定手段をさらに備え、
前記機器制御手段は、前記制御スケジュール決定手段により決定された前記制御スケジュールに従って、前記制御対象機器を制御する
請求項１に記載の電気機器管理装置。
【請求項３】
前記第１の連動規則は、前記予定に連動して当該予定の始期及び終期以外に実行する前記制御対象機器に対する制御スケジュールを決定するための規則である
請求項１又は２に記載の電気機器管理装置。
【請求項４】
前記第１の連動規則を選定するための関連付け設定画面を表示する表示手段と、
前記関連付け設定画面が前記表示手段に表示された場合に、前記第１の連動規則を選定するための入力を受け付ける入力手段と、
前記入力手段への入力により前記第１の連動規則が選定された場合に、当該選定された第１の連動規則を特定する前記第１の関連付けデータを前記関連付け記憶手段に記憶させる関連付け設定手段とをさらに備える
請求項１から３のいずれか１項に記載の電気機器管理装置。
【請求項５】
前記関連付け記憶手段は、前記予定に連動して当該予定の始期又は終期に実行する前記制御対象機器に対する制御のスケジュールを制御スケジュールとして決定するための規則である第２の連動規則が、前記始期及び前記終期のいずれに関するものであるかを示す第２の関連付けデータをさらに記憶し、
前記連動規則定義記憶手段は、前記第２の連動規則の制御対象機器と制御内容とを定義する第２の連動規則定義データをさらに記憶し、
前記機器制御手段は、さらに、前記カレンダスケジュールデータと前記第２の関連付けデータと前記第２の連動規則定義データとに基づく制御日時に、前記制御対象機器を制御する
請求項１から３のいずれか１項に記載の電気機器管理装置。
【請求項６】
前記第２の連動規則が前記始期及び前記終期のいずれに関するものかを選定するための関連付け設定画面を表示する表示手段と、
前記関連付け設定画面が前記表示手段に表示された場合に、前記第２の連動規則が前記始期及び前記終期のいずれに関するものかを選定するための入力を受け付ける入力手段と、
前記入力手段への入力により前記第２の連動規則が前記始期及び前記終期のいずれに関するものかが選定された場合に、前記第２の連動規則が前記選定された前記始期又は前記終期に関するものであることを示す前記第２の関連付けデータを前記関連付け記憶手段に記憶させる関連付け設定手段をさらに備える
請求項５に記載の電気機器管理装置。
【請求項７】
前記第２の連動規則の前記制御対象機器と前記制御内容とを選定するための連動規則定義画面を表示する表示手段と、
前記連動規則定義画面が前記表示手段に表示された場合に、前記第２の連動規則の前記制御対象機器と前記制御内容とを選定するための入力を受け付ける入力手段と、
前記入力手段への入力により前記第２の連動規則の前記制御対象機器と前記制御内容とが選定された場合に、前記第２の連動規則の前記制御対象機器と前記制御内容とが、前記選定された制御対象機器と制御内容であると定義する前記第２の連動規則定義データを前記連動規則定義記憶手段に記憶させる連動規則定義手段をさらに備える
請求項５に記載の電気機器管理装置。
【請求項８】
前記カレンダスケジュールデータが示す予定と、前記第１の連動規則に基づく制御を実行する日時及び制御内容と、前記第２の連動規則に基づく制御を実行する日時及び当該第２の連動規則を特定するための情報とを、カレンダに関連付けたカレンダ画面を表示する表示手段をさらに備える
請求項５に記載の電気機器管理装置。
【請求項９】
管理対象領域内に設定される区画を利用するユーザを示す区画データを記憶する区画記憶手段をさらに備え、
前記カレンダスケジュールデータは、前記予定に関連するユーザをさらに含み、
前記第２の連動規則定義データは、前記第２の連動規則を適用する条件として、前記区画を利用するユーザと前記予定に関連するユーザとの関係を定めたものをさらに含み、
前記機器制御手段は、前記カレンダスケジュールデータと前記区画データとのそれぞれに含まれるユーザが、前記第２の連動規則定義データに含まれる条件を満たす場合に、前記カレンダスケジュールデータと前記第２の関連付けデータと前記第２の連動規則定義データとに基づいて、前記制御対象機器を制御する
請求項５から８のいずれか１項に記載の電気機器管理装置。
【請求項１０】
管理対象領域内に設定される区画を利用するユーザを示す区画データを記憶する区画記憶手段をさらに備え、
前記カレンダスケジュールデータは、前記予定に関連するユーザをさらに含み、
前記第１の連動規則定義データは、前記第１の連動規則を適用する条件として、前記区画を利用するユーザと前記予定に関連するユーザとの関係を定めたものをさらに含み、
前記機器制御手段は、前記カレンダスケジュールデータと前記区画データとのそれぞれに含まれるユーザが、前記第１の連動規則定義データに含まれる条件を満たす場合に、前記カレンダスケジュールデータと前記第１の関連付けデータと前記第１の連動規則定義データとに基づく制御日時に、前記制御対象機器を制御する
請求項１から８のいずれか１項に記載の電気機器管理装置。
【請求項１１】
前記機器制御手段によって前記制御対象機器が制御される前に、ユーザへ通知する通知手段をさらに備える
請求項１から１０のいずれか１項に記載の電気機器管理装置。
【請求項１２】
ユーザ入力に基づいて前記カレンダスケジュールデータを生成して送信する端末装置と、
請求項１から１１のいずれか１項に記載の電気機器管理装置と、
前記端末装置と前記電気機器管理装置とのそれぞれに通信回線を介して接続されるサーバ装置とを備え、
前記サーバ装置は、
前記端末装置と前記電気機器管理装置とを対応付ける管理データが格納される管理記憶手段と、
前記カレンダスケジュールデータが格納されるカレンダスケジュール記憶手段と、
前記端末装置から送信される前記カレンダスケジュールデータを受信し、前記受信したカレンダスケジュールデータによりカレンダスケジュール記憶手段を更新するとともに、前記受信したカレンダスケジュールデータを前記電気機器管理装置へ転送する同期手段とを備え、
前記ユーザスケジュール取得手段は、前記通信回線を介して、前記同期手段から前記カレンダスケジュールデータを取得する電気機器管理システム。
【請求項１３】
請求項１から１１のいずれか１項に記載された、複数の電気機器管理装置と、
前記電気機器管理装置とのそれぞれに通信回線を介して接続されるサーバ装置とを備え、
前記サーバ装置は、
前記電気機器管理装置のそれぞれの、前記通信回線におけるアドレスを含む管理データが格納される管理記憶手段と、
前記電気機器管理装置のユーザごとの、前記カレンダスケジュールデータが格納されるカレンダスケジュール記憶手段と、
前記電気機器管理装置のユーザごとの前記カレンダスケジュールデータにより示される予定が予め定められた関係にある場合に、前記電気機器管理装置のそれぞれが管理する機器を制御するための制御信号を生成して、前記電気機器管理装置のそれぞれの前記アドレスへ送信する機器管理手段とを備え、
前記機器制御手段のそれぞれは、前記機器管理手段から送信された前記制御信号を受信し、前記制御信号に従って前記制御対象機器を制御する電気機器管理システム。
【請求項１４】
ユーザの予定を示すカレンダスケジュールデータを取得するユーザスケジュール取得手段と、
制御の対象となる電気機器である制御対象機器と、当該制御対象機器に対する制御の内容を示す情報とを含む第１の連動規則を定義する第１の連動規則定義データを記憶する連動規則定義記憶手段と、
前記ユーザの予定と、前記第１の連動規則とを関連付ける第１の関連付けデータを記憶する関連付け記憶手段と、
前記カレンダスケジュールデータと前記第１の関連付けデータと前記第１の連動規則定義データとに基づいて、前記制御対象機器を制御する機器制御手段とを備える電気機器。
【請求項１５】
ユーザの予定を示すカレンダスケジュールデータを取得するユーザスケジュール取得手段と、
制御の対象となる電気機器である制御対象機器と、当該制御対象機器に対する制御の内容を示す情報とを含む第１の連動規則を定義する第１の連動規則定義データを記憶する連動規則定義記憶手段と、
前記ユーザの予定と、前記第１の連動規則とを関連付ける第１の関連付けデータを記憶する関連付け記憶手段と、
前記カレンダスケジュールデータと前記第１の関連付けデータと前記第１の連動規則定義データとに基づく制御日時に、前記制御対象機器を制御する機器制御手段とを備える端末装置。
【請求項１６】
制御の対象となる電気機器である制御対象機器と、当該制御対象機器に対する制御の内容を示す情報とを含む第１の連動規則を定義する第１の連動規則定義データと、
ユーザの予定と、前記第１の連動規則とを関連付ける第１の関連付けデータとを記憶する記憶手段を備えるコンピュータを、
前記ユーザの予定を示すカレンダスケジュールデータを取得するユーザスケジュール取得手段、
前記カレンダスケジュールデータと前記第１の関連付けデータと前記第１の連動規則定義データとに基づく制御日時に、前記制御対象機器を制御する機器制御手段、として機能させるためのプログラム。
【国際調査報告】
2015075825.tif 000027
2015075825.tif 000028
2015075825.tif 000029
2015075825.tif 000030